(57)【要約】【課題】複数の要素周波数帯域を用いた無線通信システムにおいて複数の下りリンク要素周波数帯域に対応したチャネル品質指標ＣＱＩを効率的に制御し、移動局装置がチャネル品質指標ＣＱＩを含む信号を適切に送信する。【解決手段】移動局装置は、各下りリンク要素周波数帯域に対応するチャネル品質指標を生成する上りリンク制御データ生成部４０７と、基地局装置から下りリンク要素周波数帯域毎のチャネル品質指標を送信するために予め割り当てられた無線リソースが同一時間フレームで複数発生した場合、特定の無線リソースを選択する上りリンク制御チャネル選択部４０９と、上りリンク制御データ生成部４０７が生成したチャネル品質指標を、上りリンク制御チャネル選択部４０９が選択した無線リソースに配置して、基地局装置に対して送信する送信処理部４０５と、を備える。【選択図】図７
2011071923.tif 000002
【特許請求の範囲】
【請求項１】
予め定められた周波数帯域幅を有する下りリンク要素周波数帯域を複数用いて基地局装置から送信された信号を受信する移動局装置および予め定められた周波数帯域幅を有する上りリンク要素周波数帯域を１個以上用いて前記移動局装置から送信された信号を受信する基地局装置から構成される無線通信システムであって、
前記基地局装置は、
前記移動局装置から送信された下りリンク要素周波数帯域のチャネル品質を示すチャネル品質指標を含む信号を受信する受信処理部を備え、
前記移動局装置は、
前記各下りリンク要素周波数帯域に対応するチャネル品質指標を生成する上りリンク制御データ生成部と、
前記基地局装置から前記下りリンク要素周波数帯域毎のチャネル品質指標を送信するために予め割り当てられた無線リソースが同一時間フレームで複数発生した場合、特定の無線リソースを選択する上りリンク制御チャネル選択部と、
前記上りリンク制御データ生成部が生成したチャネル品質指標を、前記上りリンク制御チャネル選択部が選択した無線リソースに配置して、前記基地局装置に対して送信する送信処理部と、を備えることを特徴とする無線通信システム。
【請求項２】
前記上りリンク制御チャネル選択部は、前記下りリンク要素周波数帯域毎の優先度を示す情報に基づいて、前記優先度の高い下りリンク要素周波数帯域のチャネル品質指標を送信するために割り当てられた無線リソースを選択し、
前記送信処理部は、前記優先度の高い下りリンク要素周波数帯域のチャネル品質指標を送信することを特徴とする請求項１記載の無線通信システム。
【請求項３】
前記上りリンク制御データ生成部は、前記下りリンク要素周波数帯域で受信されたデータに対する受信確認応答を生成し、
前記上りリンク制御チャネル選択部は、前記上りリンク制御データ生成部が、前記受信確認応答を生成した場合、前記受信確認応答を送信するために用いられる上りリンク要素周波数帯域に割り当てられた無線リソースを選択し、
前記送信処理部は、前記受信確認応答および前記チャネル品質指標を、前記上りリンク制御チャネル選択部が選択した無線リソースに配置して、前記基地局装置に対して送信することを特徴とする請求項１記載の無線通信システム。
【請求項４】
前記上りリンク制御チャネル選択部は、前記受信確認応答を送信するために用いられる上りリンク要素周波数帯域を示す情報が配置された下りリンク要素周波数帯域のチャネル品質指標を送信するために割り当てられた無線リソースを選択することを特徴とする請求項３記載の無線通信システム。
【請求項５】
前記移動局装置は、
前記基地局装置から前記下りリンク要素周波数帯域毎のチャネル品質指標を送信するために予め割り当てられた無線リソースが同一時間フレームで複数発生した場合または前記無線リソースが複数発生していない場合のいずれかに応じて、チャネル品質指標が示す内容を変更するチャネル品質指標変更部をさらに備えることを特徴とする請求項１記載の無線通信システム。
【請求項６】
前記チャネル品質指標変更部は、チャネル品質を示す対象の周波数帯域の帯域幅を変更することにより、チャネル品質指標が示す内容を変更することを特徴とする請求項５記載の無線通信システム。
【請求項７】
前記周波数帯域の帯域幅は、所定の周波数帯域幅からなる複数のサブバンドに分割され、
前記上りリンク制御データ生成部は、チャネル品質が最も良好なサブバンドのチャネル品質指標を生成し、
前記チャネル品質指標変更部は、前記サブバンドの周波数帯域幅を変更することを特徴とする請求項６記載の無線通信システム。
【請求項８】
前記上りリンク制御チャネル選択部は、前記上りリンク制御データ生成部が生成した前記下りリンク要素周波数帯域毎のチャネル品質指標のうち、最も良好なチャネル品質を示すチャネル品質指標を送信するために割り当てられた無線リソースを選択し、
前記送信処理部は、前記チャネル品質が最も良好な下りリンク要素周波数帯域のチャネル品質指標を送信することを特徴とする請求項１記載の無線通信システム。
【請求項９】
前記基地局装置は、
チャネル品質指標を送信するための無線リソースの選択に関わる優先度を前記下りリンク要素周波数帯域毎に設定する無線リソース制御部と、
前記無線リソース制御部が設定した前記優先度を示す情報を前記移動局装置に送信する基地局側送信処理部と、を備えることを特徴とする請求項２記載の無線通信システム。
【請求項１０】
予め定められた周波数帯域幅を有する下りリンク要素周波数帯域を複数用いて基地局装置から送信された信号を受信する移動局装置であって、
前記各下りリンク要素周波数帯域に対応する、チャネル品質を示すチャネル品質指標を生成する上りリンク制御データ生成部と、
前記基地局装置から前記下りリンク要素周波数帯域毎のチャネル品質指標を送信するために予め割り当てられた無線リソースが同一時間フレームで複数発生した場合、特定の無線リソースを選択する上りリンク制御チャネル選択部と、
前記上りリンク制御データ生成部が生成したチャネル品質指標を、前記上りリンク制御チャネル選択部が選択した無線リソースに配置して、前記基地局装置に対して送信する送信処理部と、を備えることを特徴とする移動局装置。
【請求項１１】
予め定められた周波数帯域幅を有する下りリンク要素周波数帯域を複数用いて基地局装置から送信された信号を受信する移動局装置であって、
前記各下りリンク要素周波数帯域に対応する、チャネル品質を示すチャネル品質指標を生成する上りリンク制御データ生成部と、
前記基地局装置から前記下りリンク要素周波数帯域毎のチャネル品質指標を送信するために予め割り当てられた無線リソースが同一時間フレームで複数発生した場合、前記下りリンク要素周波数帯域毎の優先度を示す情報に基づいて、前記優先度の高い下りリンク要素周波数帯域のチャネル品質指標を送信するために割り当てられた無線リソースを選択する上りリンク制御チャネル選択部と、
前記上りリンク制御データ生成部が生成したチャネル品質指標を、前記上りリンク制御チャネル選択部が選択した前記優先度の高い下りリンク要素周波数帯域のチャネル品質指標を送信するために割り当てられた無線リソースに配置して、前記基地局装置に対して送信する送信処理部と、を備えることを特徴とする移動局装置。
【請求項１２】
予め定められた周波数帯域幅を有する上りリンク要素周波数帯域を１個以上用いて移動局装置から送信された信号を受信する基地局装置であって、
前記移動局装置から送信された下りリンク要素周波数帯域のチャネル品質を示すチャネル品質指標を含む信号を受信する受信処理部と、
チャネル品質指標を送信するための無線リソースの選択に関わる優先度を前記下りリンク要素周波数帯域毎に設定する無線リソース制御部と、
前記無線リソース制御部が設定した前記優先度を示す情報を前記移動局装置に送信する基地局側送信処理部と、を備えることを特徴とする基地局装置。
【請求項１３】
予め定められた周波数帯域幅を有する下りリンク要素周波数帯域を複数用いて基地局装置から送信された信号を受信する移動局装置および予め定められた周波数帯域幅を有する上りリンク要素周波数帯域を１個以上用いて前記移動局装置から送信された信号を受信する基地局装置から構成される無線通信システムの通信制御方法であって、
前記移動局装置において、
前記各下りリンク要素周波数帯域に対応する、チャネル品質を示すチャネル品質指標を生成するステップと、
前記基地局装置から前記下りリンク要素周波数帯域毎のチャネル品質指標を送信するために予め割り当てられた無線リソースが同一時間フレームで複数発生した場合、特定の無線リソースを選択するステップと、
前記生成したチャネル品質指標を、前記選択した無線リソースに配置して、前記基地局装置に対して送信するステップと、
前記基地局装置において、
前記移動局装置から送信された下りリンク要素周波数帯域のチャネル品質を示すチャネル品質指標を含む信号を受信するステップと、を少なくとも含むことを特徴とする通信制御方法。
【請求項１４】
予め定められた周波数帯域幅を有する下りリンク要素周波数帯域を複数用いて基地局装置から送信された信号を受信する移動局装置および予め定められた周波数帯域幅を有する上りリンク要素周波数帯域を１個以上用いて前記移動局装置から送信された信号を受信する基地局装置から構成される無線通信システムの通信制御方法であって、
前記基地局装置において、
下りリンク要素周波数帯域のチャネル品質を示すチャネル品質指標を送信するための無線リソースの選択に関わる優先度を前記下りリンク要素周波数帯域毎に設定するステップと、
前記設定した前記優先度を示す情報を前記移動局装置に送信するステップと、を含み、
前記移動局装置において、
前記各下りリンク要素周波数帯域に対応するチャネル品質指標を生成するステップと、
前記基地局装置から前記下りリンク要素周波数帯域毎のチャネル品質指標を送信するために予め割り当てられた無線リソースが同一時間フレームで複数発生した場合、前記下りリンク要素周波数帯域毎の優先度を示す情報に基づいて、前記優先度の高い下りリンク要素周波数帯域のチャネル品質指標を送信するために割り当てられた無線リソースを選択するステップと、
前記生成したチャネル品質指標を、前記選択した前記優先度の高い下りリンク要素周波数帯域のチャネル品質指標を送信するために割り当てられた無線リソースに配置して、前記基地局装置に対して送信するステップと、を少なくとも含むことを特徴とする通信制御方法。
【請求項１５】
予め定められた周波数帯域幅を有する下りリンク要素周波数帯域を複数用いて基地局装置から送信された信号を受信する移動局装置の制御プログラムであって、
上りリンク制御データ生成部において、前記各下りリンク要素周波数帯域に対応する、チャネル品質を示すチャネル品質指標を生成する処理と、
上りリンク制御チャネル選択部において、前記基地局装置から前記下りリンク要素周波数帯域毎のチャネル品質指標を送信するために予め割り当てられた無線リソースが同一時間フレームで複数発生した場合、特定の無線リソースを選択する処理と、
送信処理部において、前記上りリンク制御データ生成部が生成したチャネル品質指標を、前記上りリンク制御チャネル選択部が選択した無線リソースに配置して、前記基地局装置に対して送信する送信処理と、を含む一連の処理をコンピュータに読み取り可能および実行可能にコマンド化したことを特徴とする制御プログラム。
【請求項１６】
予め定められた周波数帯域幅を有する下りリンク要素周波数帯域を複数用いて基地局装置から送信された信号を受信する移動局装置の制御プログラムであって、
上りリンク制御データ生成部において、前記各下りリンク要素周波数帯域に対応するチャネル品質指標を生成する処理と、
上りリンク制御チャネル選択部において、前記基地局装置から前記下りリンク要素周波数帯域毎のチャネル品質指標を送信するために予め割り当てられた無線リソースが同一時間フレームで複数発生した場合、前記下りリンク要素周波数帯域毎の優先度を示す情報に基づいて、前記優先度の高い下りリンク要素周波数帯域のチャネル品質指標を送信するために割り当てられた無線リソースを選択する処理と、
送信処理部において、前記上りリンク制御データ生成部が生成したチャネル品質指標を、前記上りリンク制御チャネル選択部が選択した前記優先度の高い下りリンク要素周波数帯域のチャネル品質指標を送信するために割り当てられた無線リソースに配置して、前記基地局装置に対して送信する処理と、を含む一連の処理をコンピュータに読み取り可能および実行可能にコマンド化したことを特徴とする制御プログラム。
【請求項１７】
予め定められた周波数帯域幅を有する上りリンク要素周波数帯域を１個以上用いて移動局装置から送信された信号を受信する基地局装置の制御プログラムであって、
受信処理部において、前記移動局装置から送信された下りリンク要素周波数帯域のチャネル品質を示すチャネル品質指標を含む信号を受信する処理と、
無線リソース制御部において、下りリンク要素周波数帯域のチャネル品質を示すチャネル品質指標を送信するための無線リソースの選択に関わる優先度を前記下りリンク要素周波数帯域毎に設定する処理と、
基地局側送信処理部において、前記無線リソース制御部が設定した前記優先度を示す情報を前記移動局装置に送信する処理と、を含む一連の処理をコンピュータに読み取り可能および実行可能にコマンド化したことを特徴とする制御プログラム。
【発明の詳細な説明】
【技術分野】
【０００１】
本発明は、複数の要素周波数帯域を用いた無線通信システムにおいて、複数の下りリンク要素周波数帯域に対応したチャネル品質指標ＣＱＩを効率的に制御し、移動局装置がチャネル品質指標ＣＱＩを含む信号を適切に送信することができる無線通信システム、移動局装置、基地局装置、通信制御方法、および制御プログラムに関する。
【背景技術】
【０００２】
＜チャネル品質指標CQI（Channel Quality Indicator）＞
以下、ＥＵＴＲＡ（Evolved Universal Terrestrial Radio Access；以下、「EUTRA」という。）のチャネル品質指標ＣＱＩについて説明する。チャネル品質指標ＣＱＩは、移動局装置が、基地局装置から受信した下りリンクパイロットチャネルの下りリンク参照信号を用いてチャネル品質を測定した測定結果であり、移動局装置各々について下りリンクシステム帯域のチャネル品質を示す情報である。例えば、測定されたチャネル品質に基づき下りリンク共有チャネルに好ましいと考えられる変調方式・符号化率を示す情報がチャネル品質指標ＣＱＩとして構成される。より詳細には、下りリンク共有チャネルに配置される情報データの誤り率が０．１を超えない条件で、通信効率が最も高い変調方式・符号化率の組み合わせを示す情報がチャネル品質指標ＣＱＩとして構成される。
【０００３】
移動局装置は、予め基地局装置より割り当てられた上りリンク制御チャネルを用いて、チャネル品質指標ＣＱＩを基地局装置に周期的に送信する。なお、基地局装置は、移動局装置との通信接続開始時に、その移動局装置がチャネル品質指標ＣＱＩを配置するための周期的な無線リソース（以下、CQI配置可能制御チャネルという。）を割り当てる。なお、ここでは、無線リソースは所定の周波数帯および時間帯からなる無線リソースを示している。なお、ＥＵＴＲＡのチャネル品質指標ＣＱＩを配置するための上りリンク制御チャネルには符号多重も用いられるが、説明の便宜上、ここでは省略する。
【０００４】
基地局装置は、移動局装置から受信したチャネル品質指標ＣＱＩを用いて、移動局装置に対する下りリンク共有チャネルの無線リソース割り当て（周波数スケジューリング）、下りリンク共有チャネルの変調方式・符号化率の選択（適応変調および符号化）を行なう。例えば、基地局装置は、移動局装置に対してチャネル品質指標ＣＱＩが良好な下りリンクリソースブロックに下りリンク共有チャネルを割り当てる。また、基地局装置は、チャネル品質指標ＣＱＩに応じて下りリンク共有チャネルの変調方式をＱＰＳＫ（Quadrature Phase Shift Keying；４相位相偏移変調）、１６ＱＡＭ（16Quadrature Amplitude Modulation；１６値直交振幅変調）、６４ＱＡＭ（64Quadrature Amplitude Modulation；６４値直交振幅変調）の中から設定する。
【０００５】
＜要素周波数帯域＞
一方、３ＧＰＰ（3rd Generation Partnership Project；第３世代パートナーシッププロジェクト）において、セルラー移動通信の第四世代（4th Generation；第４世代、以下、「4G」という。）無線アクセス方式（Advanced EUTRA；以下、「A-EUTRA」という。）および、４Ｇネットワーク（Advanced EUTRAN）の検討が開始されている。
【０００６】
Ａ−ＥＵＴＲＡでは、ＥＵＴＲＡよりも広い周波数帯域に対応すること、およびＥＵＴ
ＲＡとの互換性（Compatibility）を確保することが検討されている。このため、Ａ−ＥＵＴＲＡでは、基地局装置がＥＵＴＲＡの周波数帯域を一単位（要素周波数帯域）として、複数の要素周波数帯域から構成されるシステム帯域を用いた通信を行なう技術（周波数帯域集約：Spectrum aggregation、または、キャリア集約：Carrier aggregationと呼称することがある。）が検討されている（なお、要素周波数帯域をキャリア要素：Carrier Component、または、コンポーネントキャリア：Component carrierと呼称することもある。）（非特許文献１）。この技術では、基地局装置は、ＥＵＴＲＡに対応した移動局装置と上りリンクおよび下りリンク各々において何れか１個の要素周波数帯域を用いて通信を行ない、Ａ−ＥＵＴＲＡに対応した移動局装置と上りリンクおよび下りリンク各々において１個以上の要素周波数帯域を用いて通信を行なう。
【先行技術文献】
【非特許文献】
【０００７】
【非特許文献１】3GPP TSG RAN1 #54bis、Prague、Czech Republic、29-3 September、2008、R1-083677“Updated Views on Support of Wider Bandwidth in LTE-Advanced”
【発明の概要】
【発明が解決しようとする課題】
【０００８】
複数の要素周波数帯域を用いた場合のＡ−ＥＵＴＲＡにおいても、周波数スケジューリング、適応変調および符号化を適用し、高いシステムスループットの実現、高速な通信の実現が求められる。そのためには、複数の要素周波数帯域を用いたＡ−ＥＵＴＲＡにおいても基地局装置と移動局装置間で各下りリンク要素周波数帯域に対応したチャネル品質指標ＣＱＩを構成する必要がある。つまり、基地局装置は、移動局装置が各下りリンク要素周波数帯域に対応したチャネル品質指標ＣＱＩを送信するために上りリンク制御チャネルの無線リソースの位置および無線リソースの周期を下りリンク要素周波数帯域毎に割り当てる必要がある。
【０００９】
しかしながら、各チャネル品質指標ＣＱＩを送信するための上りリンク制御チャネルの無線リソースの周期、および無線リソースの割り当てを開始する上りリンクサブフレームの位置に関する基地局装置の設定次第では、同一上りリンクサブフレームにおいて複数の上りリンク制御チャネルが同時に配置される場合が発生し、送信信号がマルチキャリア信号となる。移動局装置は、ＰＡＰＲ（Peak-to-Average Power Ratio；ピーク電力対平均電力比）の増大を考慮して電力増幅器が対応可能な入力レベルになるように送信電力を、シングルキャリア信号を送信する場合と比較して小さい値に設定する必要が発生し、電力に制限のある移動局装置は要求される品質を満足するように信号を送信することが難しくなる。
【００１０】
本発明は、このような事情に鑑みてなされたものであり、複数の要素周波数帯域を用いた無線通信システムにおいて複数の下りリンク要素周波数帯域に対応したチャネル品質指標ＣＱＩを効率的に制御し、移動局装置がチャネル品質指標ＣＱＩを含む信号を適切に送信することができる無線通信システム、移動局装置、基地局装置、通信制御方法および制御プログラムを提供することを目的とする。
【課題を解決するための手段】
【００１１】
（１）上記の目的を達成するために、本発明は、以下のような手段を講じた。すなわち、本発明の無線通信システムは、予め定められた周波数帯域幅を有する下りリンク要素周波数帯域を複数用いて基地局装置から送信された信号を受信する移動局装置および予め定められた周波数帯域幅を有する上りリンク要素周波数帯域を１個以上用いて前記移動局装置から送信された信号を受信する基地局装置から構成される無線通信システムであって、前記基地局装置は、前記移動局装置から送信された下りリンク要素周波数帯域のチャネル品質を示すチャネル品質指標を含む信号を受信する受信処理部を備え、前記移動局装置は、前記各下りリンク要素周波数帯域に対応するチャネル品質指標を生成する上りリンク制御データ生成部と、前記基地局装置から前記下りリンク要素周波数帯域毎のチャネル品質指標を送信するために予め割り当てられた無線リソースが同一時間フレームで複数発生した場合、特定の無線リソースを選択する上りリンク制御チャネル選択部と、前記上りリンク制御データ生成部が生成したチャネル品質指標を、前記上りリンク制御チャネル選択部が選択した無線リソースに配置して、前記基地局装置に対して送信する送信処理部と、を備えることを特徴とする。
【００１２】
このように、移動局装置は、基地局装置から下りリンク要素周波数帯域毎のチャネル品質指標を送信するために予め割り当てられた無線リソースが同一時間フレームで複数発生した場合、特定の無線リソースを選択するので、同一上りリンクサブフレームで、下りリンク要素周波数帯域毎のチャネル品質指標ＣＱＩを送信するための上りリンク制御チャネルの無線リソースが複数発生した場合に、特定の無線リソースを選択することにより、送信信号のシングルキャリア属性を維持することができ、電力に制限のある移動局装置は要求される品質を満足するように信号を送信することができる。
【００１３】
（２）また、本発明の無線通信システムにおいて、前記上りリンク制御チャネル選択部は、前記下りリンク要素周波数帯域毎の優先度を示す情報に基づいて、前記優先度の高い下りリンク要素周波数帯域のチャネル品質指標を送信するために割り当てられた無線リソースを選択し、前記送信処理部は、前記優先度の高い下りリンク要素周波数帯域のチャネル品質指標を送信することを特徴とする。
【００１４】
このように、移動局装置は、下りリンク要素周波数帯域毎の優先度を示す情報に基づいて、優先度の高い下りリンク要素周波数帯域のチャネル品質指標を送信するために割り当てられた無線リソースを選択するので、優先度の高い下りリンク要素周波数帯域のチャネル品質指標ＣＱＩを基地局装置に優先して送信し、基地局装置はスケジューリングの優先度の高い下りリンク要素周波数帯域に対してチャネル品質指標ＣＱＩを用いて適切なスケジューリングを行なうことができる。
【００１５】
（３）また、本発明の無線通信システムにおいて、前記上りリンク制御データ生成部は、前記下りリンク要素周波数帯域で受信されたデータに対する受信確認応答を生成し、前記上りリンク制御チャネル選択部は、前記上りリンク制御データ生成部が、前記受信確認応答を生成した場合、前記受信確認応答を送信するために用いられる上りリンク要素周波数帯域に割り当てられた無線リソースを選択し、前記送信処理部は、前記受信確認応答および前記チャネル品質指標を、前記上りリンク制御チャネル選択部が選択した無線リソースに配置して、前記基地局装置に対して送信することを特徴とする。
【００１６】
このように、移動局装置は、受信確認応答およびチャネル品質指標を、選択した無線リソースに配置して、基地局装置に対して送信するので、チャネル品質指標ＣＱＩよりも優先度の高い受信確認応答ＡＣＫ／ＮＡＣＫを送信することができ、基地局装置において下りリンク共有チャネルの適した再送制御を実現することができる。
【００１７】
（４）また、本発明の無線通信システムにおいて、前記上りリンク制御チャネル選択部は、前記受信確認応答を送信するために用いられる上りリンク要素周波数帯域を示す情報が配置された下りリンク要素周波数帯域のチャネル品質指標を送信するために割り当てられた無線リソースを選択することを特徴とする。
【００１８】
このように、移動局装置は、受信確認応答を送信するために用いられる上りリンク要素周波数帯域を示す情報が配置された下りリンク要素周波数帯域のチャネル品質指標を送信するために割り当てられた無線リソースを選択するので、受信確認応答ＡＣＫ／ＮＡＣＫを送信する上りリンク制御チャネルの無線リソースが割り当てられた上りリンク要素周波数帯域の中に、複数のチャネル品質指標ＣＱＩを送信する制御チャネルが設定されている場合に、基地局装置は移動局装置にチャネル品質指標ＣＱＩを送信して欲しい下りリンク要素周波数帯域を瞬時的に選択することができる。
【００１９】
（５）また、本発明の無線通信システムにおいて、前記移動局装置は、前記基地局装置から前記下りリンク要素周波数帯域毎のチャネル品質指標を送信するために予め割り当てられた無線リソースが同一時間フレームで複数発生した場合または前記無線リソースが複数発生していない場合のいずれかに応じて、チャネル品質指標が示す内容を変更するチャネル品質指標変更部をさらに備えることを特徴とする。
【００２０】
このように、移動局装置は、基地局装置から下りリンク要素周波数帯域毎のチャネル品質指標を送信するために予め割り当てられた無線リソースが同一時間フレームで複数発生した場合または無線リソースが複数発生していない場合のいずれかに応じて、チャネル品質指標が示す内容を変更するので、同一上りリンクサブフレームで、下りリンク要素周波数帯域毎のチャネル品質指標ＣＱＩを送信するための上りリンク制御チャネルの無線リソースが、複数発生した場合と発生していない場合とで、移動局装置はチャネル品質指標ＣＱＩのビット数を変更することなく、異なる意味のチャネル品質指標ＣＱＩを送信することができる。
【００２１】
（６）また、本発明の無線通信システムにおいて、前記チャネル品質指標変更部は、チャネル品質を示す対象の周波数帯域の帯域幅を変更することにより、チャネル品質指標が示す内容を変更することを特徴とする。
【００２２】
このように、基地局装置は、チャネル品質を示す対象の周波数帯域の帯域幅を変更するので、特定の下りリンク要素周波数帯域に対するチャネル品質指標ＣＱＩより、全ての下りリンク要素周波数帯域に対するチャネル品質指標ＣＱＩの方が欲しい場合に好適なチャネル品質指標ＣＱＩを移動局装置より受信することができ、複数の下りリンク要素周波数帯域に対する下りリンク共有チャネルの無線リソース割り当て、変調方式・符号化率の決定を適切に行なうことができる。
【００２３】
（７）また、本発明の無線通信システムにおいて、前記周波数帯域の帯域幅は、所定の周波数帯域幅からなる複数のサブバンドに分割され、前記上りリンク制御データ生成部は、チャネル品質が最も良好なサブバンドのチャネル品質指標を生成し、前記チャネル品質指標変更部は、前記サブバンドの周波数帯域幅を変更することを特徴とする。
【００２４】
このように、移動局装置は、サブバンドの周波数帯域幅を変更するので、同一上りリンクサブフレームで、下りリンク要素周波数帯域毎のチャネル品質指標ＣＱＩを送信するための上りリンク制御チャネルの無線リソースが複数発生した場合と発生していない場合とで、チャネル品質指標ＣＱＩのビット数を変更することなく、異なる意味のチャネル品質指標ＣＱＩを送信することができる。
【００２５】
（８）また、本発明の無線通信システムにおいて、前記上りリンク制御チャネル選択部は、前記上りリンク制御データ生成部が生成した前記下りリンク要素周波数帯域毎のチャネル品質指標のうち、最も良好なチャネル品質を示すチャネル品質指標を送信するために割り当てられた無線リソースを選択し、前記送信処理部は、前記チャネル品質が最も良好な下りリンク要素周波数帯域のチャネル品質指標を送信することを特徴とする。
【００２６】
このように、移動局装置は、下りリンク要素周波数帯域毎のチャネル品質指標のうち、最も良好なチャネル品質を示すチャネル品質指標を送信するために割り当てられた無線リソースを選択するので、送信信号のシングルキャリア属性を維持することができ、電力に制限のある移動局装置は要求される品質を満足するように信号を送信することができる。また、基地局装置は、チャネル品質が良い下りリンク要素周波数帯域のチャネル品質指標ＣＱＩを移動局装置から受信することにより、最大の周波数スケジューリングのゲイン、最大の適応変調のゲインを得ることができる。
【００２７】
（９）また、本発明の無線通信システムにおいて、前記基地局装置は、チャネル品質指標を送信するための無線リソースの選択に関わる優先度を前記下りリンク要素周波数帯域毎に設定する無線リソース制御部と、前記無線リソース制御部が設定した前記優先度を示す情報を前記移動局装置に送信する基地局側送信処理部と、を備えることを特徴とする。
【００２８】
このように、基地局装置が、優先度を示す情報を移動局装置に送信するので、移動局装置は優先度の高い下りリンク要素周波数帯域のチャネル品質指標ＣＱＩを基地局装置に優先して送信し、基地局装置はスケジューリングの優先度の高い下りリンク要素周波数帯域に対してチャネル品質指標ＣＱＩを用いて適切なスケジューリングを行なうことができる。
【００２９】
（１０）また、本発明の移動局装置は、予め定められた周波数帯域幅を有する下りリンク要素周波数帯域を複数用いて基地局装置から送信された信号を受信する移動局装置であって、前記各下りリンク要素周波数帯域に対応する、チャネル品質を示すチャネル品質指標を生成する上りリンク制御データ生成部と、前記基地局装置から前記下りリンク要素周波数帯域毎のチャネル品質指標を送信するために予め割り当てられた無線リソースが同一時間フレームで複数発生した場合、特定の無線リソースを選択する上りリンク制御チャネル選択部と、前記上りリンク制御データ生成部が生成したチャネル品質指標を、前記上りリンク制御チャネル選択部が選択した無線リソースに配置して、前記基地局装置に対して送信する送信処理部と、を備えることを特徴とする。
【００３０】
このように、移動局装置は、基地局装置から下りリンク要素周波数帯域毎のチャネル品質指標を送信するために予め割り当てられた無線リソースが同一時間フレームで複数発生した場合、特定の無線リソースを選択するので、同一上りリンクサブフレームで、下りリンク要素周波数帯域毎のチャネル品質指標ＣＱＩを送信するための上りリンク制御チャネルの無線リソースが複数発生した場合に、特定の無線リソースを選択することにより、送信信号のシングルキャリア属性を維持することができ、電力に制限のある移動局装置は要求される品質を満足するように信号を送信することができる。
【００３１】
（１１）また、本発明の移動局装置は、予め定められた周波数帯域幅を有する下りリンク要素周波数帯域を複数用いて基地局装置から送信された信号を受信する移動局装置であって、前記各下りリンク要素周波数帯域に対応する、チャネル品質を示すチャネル品質指標を生成する上りリンク制御データ生成部と、前記基地局装置から前記下りリンク要素周波数帯域毎のチャネル品質指標を送信するために予め割り当てられた無線リソースが同一時間フレームで複数発生した場合、前記下りリンク要素周波数帯域毎の優先度を示す情報に基づいて、前記優先度の高い下りリンク要素周波数帯域のチャネル品質指標を送信するために割り当てられた無線リソースを選択する上りリンク制御チャネル選択部と、前記上りリンク制御データ生成部が生成したチャネル品質指標を、前記上りリンク制御チャネル選択部が選択した前記優先度の高い下りリンク要素周波数帯域のチャネル品質指標を送信するために割り当てられた無線リソースに配置して、前記基地局装置に対して送信する送信処理部と、を備えることを特徴とする。
【００３２】
このように、移動局装置は、生成したチャネル品質指標を、選択した優先度の高い下りリンク要素周波数帯域のチャネル品質指標を送信するために割り当てられた無線リソースに配置して、基地局装置に対して送信するので、同一上りリンクサブフレームで、下りリンク要素周波数帯域毎のチャネル品質指標ＣＱＩを送信するための上りリンク制御チャネルの無線リソースが複数発生した場合に、特定の無線リソースを選択することにより、送信信号のシングルキャリア属性を維持することができ、電力に制限のある移動局装置は要求される品質を満足するように信号を送信することができる。また、移動局装置は優先度の高い下りリンク要素周波数帯域のチャネル品質指標ＣＱＩを基地局装置に優先して送信し、基地局装置はスケジューリングの優先度の高い下りリンク要素周波数帯域に対してチャネル品質指標ＣＱＩを用いて適切なスケジューリングを行なうことができる。
【００３３】
（１２）また、本発明の基地局装置は、予め定められた周波数帯域幅を有する上りリンク要素周波数帯域を１個以上用いて移動局装置から送信された信号を受信する基地局装置であって、前記移動局装置から送信された下りリンク要素周波数帯域のチャネル品質を示すチャネル品質指標を含む信号を受信する受信処理部と、チャネル品質指標を送信するための無線リソースの選択に関わる優先度を前記下りリンク要素周波数帯域毎に設定する無線リソース制御部と、前記無線リソース制御部が設定した前記優先度を示す情報を前記移動局装置に送信する基地局側送信処理部と、を備えることを特徴とする。
【００３４】
このように、基地局装置が、優先度を示す情報を移動局装置に送信するので、移動局装置は優先度の高い下りリンク要素周波数帯域のチャネル品質指標ＣＱＩを基地局装置に優先して送信し、基地局装置はスケジューリングの優先度の高い下りリンク要素周波数帯域に対してチャネル品質指標ＣＱＩを用いて適切なスケジューリングを行なうことができる。
【００３５】
（１３）また、本発明の通信制御方法は、予め定められた周波数帯域幅を有する下りリンク要素周波数帯域を複数用いて基地局装置から送信された信号を受信する移動局装置および予め定められた周波数帯域幅を有する上りリンク要素周波数帯域を１個以上用いて前記移動局装置から送信された信号を受信する基地局装置から構成される無線通信システムの通信制御方法であって、前記移動局装置において、前記各下りリンク要素周波数帯域に対応する、チャネル品質を示すチャネル品質指標を生成するステップと、前記基地局装置から前記下りリンク要素周波数帯域毎のチャネル品質指標を送信するために予め割り当てられた無線リソースが同一時間フレームで複数発生した場合、特定の無線リソースを選択するステップと、前記生成したチャネル品質指標を、前記選択した無線リソースに配置して、前記基地局装置に対して送信するステップと、前記基地局装置において、前記移動局装置から送信された下りリンク要素周波数帯域のチャネル品質を示すチャネル品質指標を含む信号を受信するステップと、を少なくとも含むことを特徴とする。
【００３６】
このように、移動局装置は、基地局装置から下りリンク要素周波数帯域毎のチャネル品質指標を送信するために予め割り当てられた無線リソースが同一時間フレームで複数発生した場合、特定の無線リソースを選択するので、同一上りリンクサブフレームで、下りリンク要素周波数帯域毎のチャネル品質指標ＣＱＩを送信するための上りリンク制御チャネルの無線リソースが複数発生した場合に、特定の無線リソースを選択することにより、送信信号のシングルキャリア属性を維持することができ、電力に制限のある移動局装置は要求される品質を満足するように信号を送信することができる。
【００３７】
（１４）また、本発明の通信制御方法は、予め定められた周波数帯域幅を有する下りリンク要素周波数帯域を複数用いて基地局装置から送信された信号を受信する移動局装置および予め定められた周波数帯域幅を有する上りリンク要素周波数帯域を１個以上用いて前記移動局装置から送信された信号を受信する基地局装置から構成される無線通信システムの通信制御方法であって、下りリンク要素周波数帯域のチャネル品質を示すチャネル品質指標を送信するための無線リソースの選択に関わる優先度を前記下りリンク要素周波数帯域毎に設定するステップと、前記設定した前記優先度を示す情報を前記移動局装置に送信するステップと、を含み、前記移動局装置において、前記各下りリンク要素周波数帯域に対応するチャネル品質指標を生成するステップと、前記基地局装置から前記下りリンク要素周波数帯域毎のチャネル品質指標を送信するために予め割り当てられた無線リソースが同一時間フレームで複数発生した場合、前記下りリンク要素周波数帯域毎の優先度を示す情報に基づいて、前記優先度の高い下りリンク要素周波数帯域のチャネル品質指標を送信するために割り当てられた無線リソースを選択するステップと、前記生成したチャネル品質指標を、前記選択した前記優先度の高い下りリンク要素周波数帯域のチャネル品質指標を送信するために割り当てられた無線リソースに配置して、前記基地局装置に対して送信するステップと、を少なくとも含むことを特徴とする。
【００３８】
このように、移動局装置は、基地局装置から下りリンク要素周波数帯域毎のチャネル品質指標を送信するために予め割り当てられた無線リソースが同一時間フレームで複数発生した場合、下りリンク要素周波数帯域毎の優先度を示す情報に基づいて、優先度の高い下りリンク要素周波数帯域のチャネル品質指標を送信するために割り当てられた無線リソースを選択するので、同一上りリンクサブフレームで、下りリンク要素周波数帯域毎のチャネル品質指標ＣＱＩを送信するための上りリンク制御チャネルの無線リソースが複数発生した場合に、特定の無線リソースを選択することにより、送信信号のシングルキャリア属性を維持することができ、電力に制限のある移動局装置は要求される品質を満足するように信号を送信することができる。また、移動局装置は優先度の高い下りリンク要素周波数帯域のチャネル品質指標ＣＱＩを基地局装置に優先して送信し、基地局装置はスケジューリングの優先度の高い下りリンク要素周波数帯域に対してチャネル品質指標ＣＱＩを用いて適切なスケジューリングを行なうことができる。
【００３９】
（１５）また、本発明の制御プログラムは、予め定められた周波数帯域幅を有する下りリンク要素周波数帯域を複数用いて基地局装置から送信された信号を受信する移動局装置の制御プログラムであって、上りリンク制御データ生成部において、前記各下りリンク要素周波数帯域に対応する、チャネル品質を示すチャネル品質指標を生成する処理と、上りリンク制御チャネル選択部において、前記基地局装置から前記下りリンク要素周波数帯域毎のチャネル品質指標を送信するために予め割り当てられた無線リソースが同一時間フレームで複数発生した場合、特定の無線リソースを選択する処理と、送信処理部において、前記上りリンク制御データ生成部が生成したチャネル品質指標を、前記上りリンク制御チャネル選択部が選択した無線リソースに配置して、前記基地局装置に対して送信する送信処理と、を含む一連の処理をコンピュータに読み取り可能および実行可能にコマンド化したことを特徴とする。
【００４０】
このように、移動局装置は、基地局装置から下りリンク要素周波数帯域毎のチャネル品質指標を送信するために予め割り当てられた無線リソースが同一時間フレームで複数発生した場合、特定の無線リソースを選択するので、同一上りリンクサブフレームで、下りリンク要素周波数帯域毎のチャネル品質指標ＣＱＩを送信するための上りリンク制御チャネルの無線リソースが複数発生した場合に、特定の無線リソースを選択することにより、送信信号のシングルキャリア属性を維持することができ、電力に制限のある移動局装置は要求される品質を満足するように信号を送信することができる。
【００４１】
（１６）また、本発明の制御プログラムは、予め定められた周波数帯域幅を有する下りリンク要素周波数帯域を複数用いて基地局装置から送信された信号を受信する移動局装置の制御プログラムであって、上りリンク制御データ生成部において、前記各下りリンク要素周波数帯域に対応するチャネル品質指標を生成する処理と、上りリンク制御チャネル選択部において、前記基地局装置から前記下りリンク要素周波数帯域毎のチャネル品質指標を送信するために予め割り当てられた無線リソースが同一時間フレームで複数発生した場合、前記下りリンク要素周波数帯域毎の優先度を示す情報に基づいて、前記優先度の高い下りリンク要素周波数帯域のチャネル品質指標を送信するために割り当てられた無線リソースを選択する処理と、送信処理部において、前記上りリンク制御データ生成部が生成したチャネル品質指標を、前記上りリンク制御チャネル選択部が選択した前記優先度の高い下りリンク要素周波数帯域のチャネル品質指標を送信するために割り当てられた無線リソースに配置して、前記基地局装置に対して送信する処理と、を含む一連の処理をコンピュータに読み取り可能および実行可能にコマンド化したことを特徴とする。
【００４２】
このように、移動局装置は、基地局装置から下りリンク要素周波数帯域毎のチャネル品質指標を送信するために予め割り当てられた無線リソースが同一時間フレームで複数発生した場合、下りリンク要素周波数帯域毎の優先度を示す情報に基づいて、優先度の高い下りリンク要素周波数帯域のチャネル品質指標を送信するために割り当てられた無線リソースを選択するので、同一上りリンクサブフレームで、下りリンク要素周波数帯域毎のチャネル品質指標ＣＱＩを送信するための上りリンク制御チャネルの無線リソースが複数発生した場合に、特定の無線リソースを選択することにより、送信信号のシングルキャリア属性を維持することができ、電力に制限のある移動局装置は要求される品質を満足するように信号を送信することができる。また、移動局装置は優先度の高い下りリンク要素周波数帯域のチャネル品質指標ＣＱＩを基地局装置に優先して送信し、基地局装置はスケジューリングの優先度の高い下りリンク要素周波数帯域に対してチャネル品質指標ＣＱＩを用いて適切なスケジューリングを行なうことができる。
【００４３】
（１７）また、本発明の制御プログラムは、予め定められた周波数帯域幅を有する上りリンク要素周波数帯域を１個以上用いて移動局装置から送信された信号を受信する基地局装置の制御プログラムであって、受信処理部において、前記移動局装置から送信された下りリンク要素周波数帯域のチャネル品質を示すチャネル品質指標を含む信号を受信する処理と、無線リソース制御部において、下りリンク要素周波数帯域のチャネル品質を示すチャネル品質指標を送信するための無線リソースの選択に関わる優先度を前記下りリンク要素周波数帯域毎に設定する処理と、基地局側送信処理部において、前記無線リソース制御部が設定した前記優先度を示す情報を前記移動局装置に送信する処理と、を含む一連の処理をコンピュータに読み取り可能および実行可能にコマンド化したことを特徴とする。
【００４４】
このように、基地局装置が、優先度を示す情報を移動局装置に送信するので、移動局装置は優先度の高い下りリンク要素周波数帯域のチャネル品質指標ＣＱＩを基地局装置に優先して送信し、基地局装置はスケジューリングの優先度の高い下りリンク要素周波数帯域に対してチャネル品質指標ＣＱＩを用いて適切なスケジューリングを行なうことができる。
【発明の効果】
【００４５】
本発明によれば、複数の要素周波数帯域を用いた無線通信システムにおいて、複数の下りリンク要素周波数帯域に対応したチャネル品質指標ＣＱＩを効率的に制御し、移動局装置がチャネル品質指標ＣＱＩを含む信号を適切に送信することができる。これにより、移動局装置は、送信信号のシングルキャリア属性を維持することができ、電力に制限のある移動局装置は要求される品質を満足するように信号を送信することができる。
【図面の簡単な説明】
【００４６】
【図１】本発明の実施形態に係る無線通信システムの全体像についての概略を説明する図である。
【図２】本発明の実施形態に係る基地局装置３から移動局装置５への下りリンク無線フレームの概略構成を示す図である。
【図３】本発明の実施形態に係る移動局装置５から基地局装置３への上りリンク無線フレームの概略構成を示す図である。
【図４】本発明の実施形態に係る基地局装置３の構成を示す概略ブロック図である。
【図５】本発明の実施形態に係る基地局装置３の送信処理部１０７の構成を示す概略ブロック図である。
【図６】本発明の実施形態に係る基地局装置３の受信処理部１０１の構成を示す概略ブロック図である。
【図７】本発明の第１の実施形態に係る移動局装置５の構成を示す概略ブロック図である。
【図８】本発明の実施形態に係る移動局装置５の受信処理部４０１の構成を示す概略ブロック図である。
【図９】本発明の実施形態に係る移動局装置５の送信処理部４０５の構成を示す概略ブロック図である。
【図１０】本発明の第１の実施形態において、下りリンク要素周波数帯域毎のチャネル品質指標ＣＱＩの優先度の一例を示す図である。
【図１１Ａ】本発明の実施形態における、チャネル品質指標ＣＱＩを送信するための複数の上りリンク制御チャネルについての周波数領域の設定を示す図である。
【図１１Ｂ】本発明の実施形態における、チャネル品質指標ＣＱＩを送信するための複数の上りリンク制御チャネルについての周波数領域の設定を示す図である。
【図１１Ｃ】本発明の実施形態における、チャネル品質指標ＣＱＩを送信するための複数の上りリンク制御チャネルについての周波数領域の設定を示す図である。
【図１２】本発明の実施形態における、チャネル品質指標ＣＱＩを送信するための複数の上りリンク制御チャネルについての時間領域の設定を示す図である。
【図１３】本発明の第１の実施形態に係る移動局装置５のチャネル品質指標ＣＱＩを送信するための上りリンク制御チャネルの選択に関する上りリンクサブフレーム単位の処理の一例を示すフローチャートである。
【図１４】本発明の第２の実施形態において、ある上りリンクサブフレームでチャネル品質指標ＣＱＩを送信するための複数の上りリンクチャネルと、受信確認応答ＡＣＫ／ＮＡＣＫを送信するための上りリンクチャネルが同時に発生した場合を示す図である。
【図１５】本発明の第２の実施形態に係る移動局装置５のチャネル品質指標ＣＱＩを送信するための上りリンク制御チャネルの選択に関する上りリンクサブフレーム単位の処理の一例を示すフローチャートである。
【図１６Ａ】本発明の第２の実施形態に係る移動局装置５のチャネル品質指標ＣＱＩを送信するための上りリンク制御チャネルの選択に関する上りリンクサブフレーム単位の処理の一例を示すフローチャートである。
【図１６Ｂ】本発明の第２の実施形態に係る移動局装置５のチャネル品質指標ＣＱＩを送信するための上りリンク制御チャネルの選択に関する上りリンクサブフレーム単位の処理の一例を示すフローチャートである。
【図１７】本発明の第３の実施形態において、ある上りリンクサブフレームでチャネル品質指標ＣＱＩを送信するための複数の上りリンクチャネルと、受信確認応答ＡＣＫ／ＮＡＣＫを送信するための上りリンクチャネルが同時に発生した場合を示す図である。
【図１８】本発明の第３の実施形態に係る移動局装置５のチャネル品質指標ＣＱＩを送信するための上りリンク制御チャネルの選択に関する上りリンクサブフレーム単位の処理の一例を示すフローチャートである。
【図１９】本発明の第４の実施形態に係る移動局装置５の構成を示す概略ブロック図である。
【図２０Ａ】本発明の第４の実施形態に係るチャネル品質指標ＣＱＩが対応する下りリンクの周波数帯域幅を示す図である（複数のCQIが同一サブフレームで発生しない場合）。
【図２０Ｂ】本発明の第４の実施形態に係るチャネル品質指標ＣＱＩが対応する下りリンクの周波数帯域幅を示す図である（複数のCQIが同一サブフレームで発生する場合）。
【図２１Ａ】本発明の第４の実施形態に係るチャネル品質指標ＣＱＩが対応する下りリンクの周波数帯域幅とサブバンド幅を示す図である（複数のCQIが同一サブフレームで発生しない場合）。
【図２１Ｂ】本発明の第４の実施形態に係るチャネル品質指標ＣＱＩが対応する下りリンクの周波数帯域幅とサブバンド幅を示す図である（複数のCQIが同一サブフレームで発生する場合）。
【図２２】本発明の第５の実施形態において、ある上りリンクサブフレームでチャネル品質指標ＣＱＩを送信するための複数の上りリンクチャネルが同時に発生した場合を示す図である。
【図２３】本発明の第５の実施形態に係る移動局装置５のチャネル品質指標ＣＱＩを送信するための上りリンク制御チャネルの選択に関する上りリンクサブフレーム単位の処理の一例を示すフローチャートである。
【図２４】従来技術に係る移動局装置から基地局装置への上りリンク無線フレームの概略構成を示す図である。
【図２５】従来技術に係るＣＱＩ配置可能制御チャネルの時間領域における割り当ての一例を示す概略図である。
【発明を実施するための形態】
【００４７】
セルラー移動通信の第三世代（3G）無線アクセス方式として、Ｗ‐ＣＤＭＡ（Wideband Code Division Multiple Access；広帯域符号分割多元接続）方式が３ＧＰＰにおいて標準化され、同方式によるセルラー移動通信サービスが開始されている。また、３ＧＰＰにおいて、３Ｇの進化（EUTRA）および３Ｇネットワークの進化（Evolved Universal Terrestrial Radio Access Network）が検討されている。
【００４８】
ＥＵＴＲＡの基地局装置から移動局装置への通信方向である下りリンクにおいて、マルチキャリア送信であるＯＦＤＭ（Orthogonal Frequency Division Multiplexing；直交周波数分割多重）方式が適用されている。また、ＥＵＴＲＡの移動局装置から基地局装置への通信方向である上りリンクにおいて、シングルキャリア送信であるＤＦＴ（Discrete Fourier Transform；離散フーリエ変換）−Ｓｐｒｅａｄ  ＯＦＤＭ方式が適用されている。
【００４９】
＜上りリンクチャネル構成＞
以下、ＥＵＴＲＡにおける上りリンク無線フレームの概略構成を説明する。図２４は、従来技術に係る移動局装置から基地局装置への上りリンク無線フレームの概略構成を示す図である。この図において、横軸は時間領域、縦軸は周波数領域を表している。上りリンク無線フレームは、上りリンクリソースブロックペア（時間周波数帯域）から構成される。この上りリンクリソースブロックペアは、移動局装置各々に対する無線リソース割り当て単位であり、予め決められた幅の周波数帯および時間帯からなる。１個の上りリンクリソースブロックペアは、時間領域で連続する２個の上りリンクリソースブロックから構成される。また、この図において、１個の上りリンクリソースブロックは、周波数領域において１２個の上りリンクサブキャリアから構成され、時間領域において７個のＳＣ−ＦＤＭＡシンボル（Single Carrier-Frequency Division Multiple Access；シングルキャリア周波数分割多元接続）から構成される。上りリンクシステム帯域幅は、基地局装置の上りリンクの通信帯域幅である。
【００５０】
また、図２４において、時間領域には、７個のＳＣ−ＦＤＭＡシンボルから構成される上りリンクスロット、２個の上りリンクスロットから構成される上りリンクサブフレーム、１０個の上りリンクサブフレームから構成される上りリンク無線フレームがある。なお、時間方向については、１個の上りリンクサブフレームが、上りリンクの移動局装置各々に対する無線リソース割り当ての時間方向の単位である時間フレームである。また、１個の上りリンクサブキャリアと１個のＳＣ−ＦＤＭＡシンボルから構成されるユニットを上りリンクリソースエレメントと呼ぶ。また、上りリンク無線フレームでは上りリンクシステム帯域幅に応じて複数の上りリンクリソースブロックが配置される。
【００５１】
各上りリンクサブフレームには少なくとも、情報データの送信に用いられる上りリンク共有チャネル、制御データの送信に用いられる上りリンク制御チャネルが配置される。図２４において、白抜きの領域は上りリンク共有チャネルを示し、格子状にハッチングされた領域は、上りリンク制御チャネルを示す。なお、この図において、縦線でハッチングされた領域は、上りリンクパイロットチャネルを示す。上りリンク制御チャネルは、下りリンクのチャネル品質指標ＣＱＩ、下りリンク共有チャネルに対する受信確認応答ＡＣＫ／ＮＡＣＫ（Acknowledgement/Negative-Acknowledgement）、または、スケジューリング要求ＳＲ（Scheduling Request）のいずれかからなる制御データ信号を１個の上りリンクリソースブロックペアに配置して送信する。下りリンクのチャネル品質指標ＣＱＩ、受信確認応答ＡＣＫ／ＮＡＣＫの詳細については、後述する。
【００５２】
また、この上りリンク制御チャネルに用いられる上りリンクリソースブロックペアは、上りリンクシステム帯域幅の帯域の両端の上りリンクリソースブロックペアであり、周波数領域に対称関係にある上りリンクリソースブロックから構成される。例えば、図２４において、上りリンクリソースブロックＸ１１、Ｘ１２をあわせて、１個の上りリンクリソースブロックペアが構成される。
【００５３】
＜受信確認応答ACK/NACK＞
以下、ＥＵＴＲＡの受信確認応答ＡＣＫ／ＮＡＣＫについて説明する。上りリンクの受信確認応答ＡＣＫ／ＮＡＣＫは、移動局装置が、基地局装置から受信した下りリンク共有チャネルに配置されたデータの誤り結果を示す情報であり、移動局装置が復号したデータに誤りがない場合は肯定応答ＡＣＫが示され、移動局装置が復号したデータに誤りがある場合は否定応答ＮＡＣＫが示される。移動局装置は、下りリンク共有チャネルの無線リソース割り当て情報を含む下りリンク制御チャネルに用いられた無線リソースと予め対応付けられた上りリンク制御チャネルの無線リソースを用いて、受信確認応答ＡＣＫ／ＮＡＣＫを基地局装置に送信する。なお、ＥＵＴＲＡの受信確認応答ＡＣＫ／ＮＡＣＫを配置するための上りリンク制御チャネルには符号多重も用いられるが、説明の便宜上、ここでは省略する。
【００５４】
基地局装置は、移動局装置から受信した受信確認応答ＡＣＫ／ＮＡＣＫを用いて、移動局装置への下りリンク共有チャネルの再送を制御する。基地局装置は、受信確認応答ＡＣＫ／ＮＡＣＫとして肯定応答ＡＣＫを検出した場合、基地局装置が送信した下りリンク共有チャネルから移動局装置が復号したデータに誤りがなかったと認識し、新規データを送信する準備を行ない、受信確認応答ＡＣＫ／ＮＡＣＫとして否定応答ＮＡＣＫを検出した場合、基地局装置が送信した下りリンク共有チャネルから移動局装置が復号したデータに誤りがあったと認識し、送信済みのデータを再送信する準備を行なう。以下、ＣＱＩ配置可能制御チャネルの割り当て方法について説明する。
【００５５】
図２５は、従来技術に係るＣＱＩ配置可能制御チャネルの時間領域における割り当ての一例を示す概略図である。この図は、図２５の上りリンクサブフレーム単位の時間領域を示した図であり、横軸は時間を示す。図２５において、符号ＣＱＩを付した矩形は、それぞれ、ＣＱＩ配置可能制御チャネルを示す。この図は、基地局装置が移動局装置に対して、２個の上りリンクサブフレーム毎（第１、第３、第５、第７の、・・・上りリンクサブフレーム）に、ＣＱＩ配置可能制御チャネルを割り当てたことを示す。
【００５６】
＜チャネル品質指標CQIと受信確認応答ACK/NACKの同時発生＞
ところで、従来の無線通信システムにおいて、移動局装置の送信電力のＰＡＰＲが増大することを防止するため、上りリンクではシングルキャリア（例えば、DFT-Spread OFDM方式）であること（以下、シングルキャリア属性という。）を確保することが求められる。仮に、移動局装置が、１個の上りリンクサブフレームに、２個以上の制御データ信号（例えば、チャネル品質指標CQIと受信確認応答ACK/NACK）を複数の上りリンク制御チャネルの無線リソースに配置して送信すると、送信信号はマルチキャリア信号となり、ＰＡＰＲが増大してしまう。
【００５７】
そのため、移動局装置は、チャネル品質指標ＣＱＩを送信する時、チャネル品質指標ＣＱＩが配置される上りリンクサブフレームに受信確認応答ＡＣＫ／ＮＡＣＫも配置される場合、チャネル品質指標ＣＱＩに割り当てられた上りリンク制御チャネルの無線リソースを用いて、チャネル品質指標ＣＱＩのみを送信する場合と比較して異なる信号構成でチャネル品質指標ＣＱＩと受信確認応答ＡＣＫ／ＮＡＣＫを一緒に送信する。そうすることにより、送信信号のシングルキャリア属性が維持され、電力に制限のある移動局装置は要求される品質を満足できるようにチャネル品質指標ＣＱＩと受信確認応答ＡＣＫ／ＮＡＣＫを送信することができる。
【００５８】
以下、図面を参照しながら本発明の実施形態について詳しく説明する。まず、図１、図２、図３を用いて、本実施形態に係る無線通信システムの全体像、および無線フレームの構成について説明する。次に、図４〜図９を用いて、本実施形態に係る無線通信システムの構成について説明する。次に、図１０〜図１３を用いて、本実施形態に係る無線通信システムの動作処理について説明する。
【００５９】
＜無線通信システムの全体像＞
図１は、本発明の実施形態に係る無線通信システムの全体像についての概略を説明する図である。この図が示す無線通信システム１は、基地局装置３と、複数の移動局装置５Ａ、５Ｂ、５Ｃとが無線通信を行なう。また、この図は、基地局装置３から移動局装置５Ａ、５Ｂ、５Ｃへの通信方向である下りリンクが、下りリンクパイロットチャネル、下りリンク制御チャネル、および下りリンク共有チャネルを含んで構成されることを示す。また、この図は、移動局装置５Ａ、５Ｂ、５Ｃから基地局装置３への通信方向である上りリンクが、上りリンク共有チャネル、上りリンクパイロットチャネル、および上りリンク制御チャネルを含んで構成されることを示す。以下、本実施形態において、移動局装置５Ａ、５Ｂ、５Ｃを移動局装置５という。
【００６０】
＜下りリンク無線フレームの構成＞
図２は、本発明の実施形態に係る基地局装置３から移動局装置５への下りリンク無線フレームの概略構成を示す図である。この図において、横軸は周波数領域、縦軸は時間領域を表している。下りリンク無線フレームは、無線リソース割り当てなどの単位であり、予め決められた幅の周波数帯および時間帯からなる下りリンクリソースブロックペアから構成される。１個の下りリンクリソースブロックペアは時間領域で連続する２個の下りリンクリソースブロックから構成される。
【００６１】
また、この図において、１個の下りリンクリソースブロックは、周波数領域において１２個の下りリンクサブキャリアから構成され、時間領域において７個のＯＦＤＭシンボルから構成される。下りリンクシステム帯域幅は、基地局装置３の下りリンクの通信帯域幅であり、複数の下りリンク要素周波数帯域幅から構成される。無線通信システム１において、下りリンク要素周波数帯域は予め定められた周波数帯域幅の帯域である。例えば、６０ＭＨｚの帯域幅の下りリンクシステム帯域は、３個の２０ＭＨｚの帯域幅の下りリンク要素周波数帯域から構成される。なお、下りリンク要素周波数帯域では下りリンク要素周波数帯域幅に応じて複数の下りリンクリソースブロックが配置される。例えば、２０ＭＨｚの帯域幅の下りリンク要素周波数帯域は、１００個の下りリンクリソースブロックから構成される。また、例えば、下りリンク要素周波数帯域幅は、ＥＵＴＲＡに対応した移動局装置が通信に用いることができる周波数帯域幅であり、下りリンクシステム帯域幅はＡ−ＥＵＴＲＡに対応した移動局装置が通信に用いることができる周波数帯域幅である。
【００６２】
また、この図が示す時間領域においては、７個のＯＦＤＭシンボルから構成される下りリンクスロット、２個の下りリンクスロットから構成される下りリンクサブフレーム、１０個の下りリンクサブフレームから構成される下りリンク無線フレームがある。なお、１個の下りリンクサブキャリアと１個のＯＦＤＭシンボルから構成されるユニットを下りリンクリソースエレメントと呼ぶ。各下りリンクサブフレームには少なくとも、情報データの送信に用いられる下りリンク共有チャネル、制御データの送信に用いられる下りリンク制御チャネルが配置される。この図において図示は省略するが、下りリンク共有チャネルおよび下りリンク制御チャネルの伝搬路変動の推定に用いられる下りリンクパイロットチャネルの下りリンク参照信号が複数の下りリンクリソースエレメントに分散して配置される。ここで、下りリンク参照信号は、下りリンクパイロットチャネルに用いられる、無線通信システム１において既知の信号である。
【００６３】
下りリンク制御チャネルは、移動局識別子、下りリンク共有チャネルの無線リソース割り当て情報、上りリンク共有チャネルの無線リソース割り当て情報、マルチアンテナ関連情報、変調方式、符号化率、再送パラメータなどの制御データから生成された信号が配置される。
【００６４】
＜上りリンク無線フレームの構成＞
図３は、本発明の実施形態に係る移動局装置５から基地局装置３への上りリンク無線フレームの概略構成を示す図である。この図において、横軸は周波数領域、縦軸は時間領域を表している。上りリンク無線フレームは、無線リソース割り当てなどの単位であり、予め決められた幅の周波数帯および時間帯からなる上りリンクリソースブロックペアから構成される。１個の上りリンクリソースブロックペアは、時間領域で連続する２個の上りリンクリソースブロックから構成される。
【００６５】
また、この図において、１個の上りリンクリソースブロックは、周波数領域において１２個の上りリンクサブキャリアから構成され、時間領域において７個のＳＣ−ＦＤＭＡシンボルから構成される。上りリンクシステム帯域幅は、基地局装置３の上りリンクの通信帯域幅であり、複数の上りリンク要素周波数帯域幅から構成される。無線通信システム１において、上りリンク要素周波数帯域は予め定められた周波数帯域幅の帯域である。例えば、６０ＭＨｚの帯域幅の上りリンクシステム帯域は、３個の２０ＭＨｚの帯域幅の上りリンク要素周波数帯域から構成される。なお、上りリンク要素周波数帯域では上りリンク要素周波数帯域幅に応じて複数の上りリンクリソースブロックが配置される。例えば、２０ＭＨｚ帯域幅の上りリンク要素周波数帯域は、１００個の上りリンクリソースブロックから構成される。また、例えば、上りリンク要素周波数帯域幅は、ＥＵＴＲＡに対応した移動局装置が通信に用いることができる周波数帯域幅であり、上りリンクシステム帯域幅はＡ−ＥＵＴＲＡに対応した移動局装置が通信に用いることができる周波数帯域幅である。
【００６６】
また、この図が示す時間領域においては、７個のＳＣ−ＦＤＭＡシンボルから構成される上りリンクスロット、２個の上りリンクスロットから構成される上りリンクサブフレーム（時間フレーム）、１０個の上りリンクサブフレームから構成される上りリンク無線フレームがある。なお、１個の上りリンクサブキャリアと１個のＳＣ−ＦＤＭＡシンボルから構成されるユニットを上りリンクリソースエレメントと呼ぶ。
【００６７】
各上りリンクサブフレームには少なくとも、情報データの送信に用いられる上りリンク共有チャネル、制御データの送信に用いられる上りリンク制御チャネルが配置される。上りリンク制御チャネルは、下りリンクに対するチャネル品質指標ＣＱＩ、下りリンク共有チャネルに対する受信確認応答ＡＣＫ／ＮＡＣＫ、またはスケジューリング要求ＳＲからなる制御データを送信する。また、上りリンク制御チャネルは、チャネル品質指標ＣＱＩからなる制御データを送信する場合と、受信確認応答ＡＣＫ／ＮＡＣＫからなる制御データを送信する場合と、スケジューリング要求ＳＲからなる制御データを送信する場合とで異なる種類の信号構成が用いられる。
【００６８】
また、上りリンク制御チャネルに用いられる上りリンクリソースブロックペアは、上りリンク要素周波数帯域内において周波数領域に対称関係にあり、異なる上りリンクスロットに位置する２個の上りリンクリソースブロックから構成される。例えば、図３において、最も周波数が低い上りリンク要素周波数帯域内の上りリンクサブフレーム内において、一番目の上りリンクスロットの最も周波数が低い上りリンクリソースブロックと、二番目の上りリンクスロットの最も周波数が高い上りリンクリソースブロックとにより、上りリンク制御チャネルに用いられる上りリンクリソースブロックペアの１個が構成される。
【００６９】
上りリンク共有チャネルおよび上りリンク制御チャネルの伝搬路変動の推定に用いられる上りリンクパイロットチャネルは、上りリンク共有チャネルと同じ上りリンクリソースブロック内に配置される場合と、上りリンク制御チャネルと同じ上りリンクリソースブロック内に配置される場合とで異なるＳＣ−ＦＤＭＡシンボルに上りリンク参照信号が配置される。ここで、上りリンク参照信号とは、上りリンクパイロットチャネルに用いられる、無線通信システム１において既知の信号である。
【００７０】
上りリンクパイロットチャネルは、上りリンク共有チャネルと同じ上りリンクリソースブロック内に配置される場合、上りリンクスロット内の４番目のＳＣ−ＦＤＭＡシンボルに上りリンク参照信号が配置される。上りリンクパイロットチャネルは、チャネル品質指標ＣＱＩからなる制御データを含む上りリンク制御チャネルと同じ上りリンクリソースブロック内に配置される場合、上りリンクスロット内の２番目と６番目のＳＣ−ＦＤＭＡシンボルに上りリンク参照信号が配置される。上りリンクパイロットチャネルは、受信確認応答ＡＣＫ／ＮＡＣＫからなる制御データを含む上りリンク制御チャネルと同じ上りリンクリソースブロック内に配置される場合、上りリンクスロット内の３番目と４番目と５番目のＳＣ−ＦＤＭＡシンボルに上りリンク参照信号が配置される。上りリンクパイロットチャネルは、スケジューリング要求ＳＲからなる制御データを含む上りリンク制御チャネルと同じ上りリンクリソースブロック内に配置される場合、上りリンクスロット内の３番目と４番目と５番目のＳＣ−ＦＤＭＡシンボルに上りリンク参照信号が配置される。
【００７１】
この図では、上りリンク制御チャネルが各上りリンク要素周波数帯域の最も端の上りリンクリソースブロックに配置された場合を示しているが、上りリンク要素周波数帯域の端から２番目、３番目などの上りリンクリソースブロックが上りリンク制御チャネルに用いられる場合もある。
【００７２】
なお、本発明の実施形態に係る無線通信システム１では、下りリンクにおいてＯＦＤＭ方式を適用し、上りリンクにおいてＮｘＤＦＴ−Ｓｐｒｅａｄ  ＯＦＤＭ方式を適用する。ここで、ＮｘＤＦＴ−Ｓｐｒｅａｄ  ＯＦＤＭ方式とは、上りリンク要素周波数帯域単位でＤＦＴ−Ｓｐｒｅａｄ  ＯＦＤＭ方式を用いて信号を送受信する方式であり、複数の上りリンク要素周波数帯域を用いた無線通信システム１の上りリンクサブフレームにおいて複数のＤＦＴ−Ｓｐｒｅａｄ  ＯＦＤＭ送受信に関する処理部を用いて通信を行なう方式である。
【００７３】
（第１の実施形態）
＜基地局装置の全体構成＞
以下、図４、図５、図６を用いて、本実施形態に係る基地局装置３の構成について説明する。図４は、本発明の実施形態に係る基地局装置３の構成を示す概略ブロック図である。この図に示すように、基地局装置３は、受信処理部１０１、無線リソース制御部１０３、制御部１０５、および、送信処理部（基地局側送信処理部）１０７を含んで構成される。
【００７４】
受信処理部１０１は、制御部１０５の指示に従い、受信アンテナ１０９により移動局装置５から受信した、上りリンク制御チャネル、上りリンク共有チャネルの受信信号を復調し、復号して、制御データ、情報データを抽出する。受信処理部１０１は、抽出した制御データを制御部１０５に出力し、情報データを上位層に出力する。例えば、受信処理部１０１は、移動局装置５からチャネル品質指標ＣＱＩを含む制御データからなる上りリンク制御チャネルを受信し、復調し、復号して、抽出した下りリンク要素周波数帯域に対応するチャネル品質指標ＣＱＩを制御部１０５に出力する。また、例えば、受信処理部１０１は、受信確認応答ＡＣＫ／ＮＡＣＫを含む制御データからなる上りリンク制御チャネルの検出を行ない、下りリンク共有チャネルの無線リソース割り当て情報を含む下りリンク制御チャネルに用いられた無線リソースと予め対応付けられ、受信確認応答ＡＣＫ／ＮＡＣＫを送信するために割り当てられた上りリンク制御チャネルを用いて移動局装置５より送信された信号が肯定応答ＡＣＫ、否定応答ＮＡＣＫであるかを示す制御信号を、制御部１０５に出力する。受信処理部１０１の詳細については、後述する。
【００７５】
無線リソース制御部１０３は、移動局装置５各々の送信電力、間欠送受信サイクル、下りリンク制御チャネルの無線リソース割り当て、上りリンク制御チャネルの無線リソース割り当て、下りリンク共有チャネルの無線リソース割り当て、上りリンク共有チャネルの無線リソース割り当て、チャネル品質指標ＣＱＩを送信するための上りリンク制御チャネルの割り当て周期、各種チャネルの変調方式・符号化率などを設定する。
【００７６】
無線リソース制御部１０３は、制御部１０５を通して入力された、移動局装置５から受信した各下りリンク要素周波数帯域に対応するチャネル品質指標ＣＱＩに基づき、送信電力の値、各チャネルの無線リソース割り当て、変調方式・符号化率などの設定を行なう。また、無線リソース制御部１０３は、制御部１０５を通して入力された受信確認応答ＡＣＫ／ＮＡＣＫに基づき、下りリンク共有チャネルの無線リソース割り当てを行なう。具体的には、無線リソース制御部１０３は、受信確認応答ＡＣＫ／ＮＡＣＫが肯定応答ＡＣＫであった場合、新規情報データを含む下りリンク共有チャネルの無線リソース割り当てを行ない、受信確認応答ＡＣＫ／ＮＡＣＫが否定応答ＮＡＣＫであった場合、送信済みの再送情報データを含む下りリンク共有チャネルの無線リソース割り当てを行なう。
【００７７】
また、無線リソース制御部１０３は、同一上りリンクサブフレームで、基地局装置３が移動局装置５に予め割り当てた下りリンク要素周波数帯域毎のチャネル品質指標ＣＱＩを送信するための上りリンク制御チャネルの無線リソースが複数発生した場合に、移動局装置５が無線リソースの選択に用いる優先度を下りリンク要素周波数帯域毎に設定する。下りリンク要素周波数帯域毎に設定される移動局装置の無線リソースの選択に関わる優先度の詳細については、後述する。無線リソース制御部１０３は、下りリンク要素周波数帯域毎に設定される移動局装置の無線リソースの選択に関わる優先度の情報を含む無線リソース制御情報を、送信処理部１０７を通して、移動局装置５に送信する。また、無線リソース制御部１０３は、無線リソース制御情報を制御部１０５に出力する。
【００７８】
制御部１０５は、無線リソース制御部１０３から入力された無線リソース制御情報に基づき、下りリンク共有チャネルおよび下りリンク制御チャネルの無線リソース割り当て・変調方式・符号化率の制御を送信処理部１０７に対して行なう。また、制御部１０５は、無線リソース制御情報に基づき、下りリンク制御チャネルを用いて送信する制御データを生成し、送信処理部１０７に出力する。
【００７９】
制御部１０５は、無線リソース制御部１０３から入力された無線リソース制御情報に基づき、上りリンク共有チャネルおよび上りリンク制御チャネルの無線リソース割り当て・変調方式・符号化率の制御を受信処理部１０１に対して行なう。また、制御部１０５は、移動局装置５によって上りリンク制御チャネルを用いて送信された制御データが受信処理部１０１より入力され、入力された制御データを無線リソース制御部１０３に出力する。例えば、制御部１０５は、チャネル品質指標ＣＱＩ、受信確認応答ＡＣＫ／ＮＡＣＫに関する制御データが受信処理部１０１より入力され、チャネル品質指標ＣＱＩ、受信確認応答ＡＣＫ／ＮＡＣＫを無線リソース制御部１０３に出力する。
【００８０】
送信処理部１０７は、制御部１０５から入力された制御信号に基づき下りリンク制御チャネル、下りリンク共有チャネルを用いて送信する信号を生成して、送信アンテナ１１１を介して送信する。送信処理部１０７は、無線リソース制御部１０３から入力された、チャネル品質指標ＣＱＩの設定情報などからなる無線リソース制御情報、上位層から入力された情報データを下りリンク共有チャネルを用いて送信し、制御部１０５から入力された制御データを下りリンク制御チャネルを用いて送信する。例えば、送信処理部１０７は、下りリンク要素周波数帯域毎に設定される移動局装置の無線リソースの選択に関わる優先度の情報を下りリンク共有チャネルを用いて移動局装置５に送信する。なお、説明の簡略化のため、以降、情報データは無線リソース制御情報を含むものとする。送信処理部１０７の詳細については、後述する。
【００８１】
＜基地局装置の送信処理部１０７の構成＞
以下、基地局装置３の送信処理部１０７の詳細について説明する。図５は、本発明の実施形態に係る基地局装置３の送信処理部１０７の構成を示す概略ブロック図である。この図に示すように、送信処理部１０７は、複数の下りリンク共有チャネル処理部２０１、複数の下りリンク制御チャネル処理部２０３、下りリンクパイロットチャネル処理部２０５、多重部２０７、ＩＦＦＴ（Inverse Fast Fourier Transform；高速逆フーリエ変換）部２０９、ＧＩ（Guard Interval；ガードインターバル）挿入部２１１、Ｄ／Ａ（Digital/Analog；ディジタルアナログ変換）部２１３、送信ＲＦ（Radio Frequency；無線周波数）部２１５、および、送信アンテナ１１１を含んで構成される。なお、各下りリンク共有チャネル処理部２０１、各下りリンク制御チャネル処理部２０３は、それぞれ、同様の構成および機能を有するので、その一つを代表して説明する。
【００８２】
また、この図に示すように、下りリンク共有チャネル処理部２０１は、それぞれ、ターボ符号部２１９、および、データ変調部２２１、を備える。また、この図に示すように、下りリンク制御チャネル処理部２０３は、畳み込み符号部２２３、および、ＱＰＳＫ変調部２２５、を備える。下りリンク共有チャネル処理部２０１は、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化した符号データを、制御部１０５から入力された変調方式、例えば、ＱＰＳＫ、１６ＱＡＭ、６４ＱＡＭのような変調方式で変調し、変調シンボルの信号系列を生成する。データ変調部２２１は、生成した信号系列を、多重部２０７に出力する。
【００８３】
下りリンク制御チャネル処理部２０３は、制御部１０５から入力された制御データを、ＯＦＤＭ方式で伝送するためのベースバンド信号処理を行なう。畳み込み符号部２２３は、制御部１０５から入力された符号化率に基づき、制御データの誤り耐性を高めるための畳み込み符号化を行なう。ここで、制御データはビット単位で制御される。また、畳み込み符号部２２３は、制御部１０５から入力された符号化率に基づき、畳み込み符号化処理を行なったビットに対して出力ビットの数を調整するためにレートマッチングも行なう。畳み込み符号部２２３は、符号化した制御データをＱＰＳＫ変調部２２５に出力する。ＱＰＳＫ変調部２２５は、畳み込み符号部２２３が符号化した制御データを、ＱＰＳＫ変調方式で変調し、変調した変調シンボルの信号系列を、多重部２０７に出力する。下りリンクパイロットチャネル処理部２０５は、移動局装置５において既知の信号である下りリンク参照信号を生成し、多重部２０７に出力する。
【００８４】
多重部２０７は、下りリンクパイロットチャネル処理部２０５から入力された信号と、下りリンク共有チャネル処理部２０１各々から入力された信号と、下りリンク制御チャネル処理部２０３各々から入力された信号とを、制御部１０５からの指示に従って、下りリンク無線フレームに多重する。無線リソース制御部１０３によって設定された下りリンク共有チャネルの無線リソース割り当て、下りリンク制御チャネルの無線リソース割り当てに関する無線リソース制御情報が制御部１０５に入力され、その無線リソース制御情報に基づき、制御部１０５は多重部２０７の処理を制御する。
【００８５】
なお、多重部２０７は、下りリンク共有チャネルと下りリンク制御チャネル間の多重を、図２に示したように時間多重で行なう。また、多重部２０７は、下りリンクパイロットチャネルと、その他のチャネル間の多重は時間・周波数多重で行なう。また、多重部２０７は、各移動局装置５宛ての下りリンク共有チャネルの多重を下りリンクリソースブロックペア単位で行ない、１つの移動局装置５に対して複数の下りリンクリソースブロックペアを用いて下りリンク共有チャネルを多重することもある。また、多重部２０７は、各移動局装置５宛ての下りリンク制御チャネルの多重を同一の下りリンク要素周波数帯域内であり、ばらばらに分散した下りリンクリソースエレメントを複数用いて行なう。多重部２０７は、多重化した信号を、ＩＦＦＴ部２０９に出力する。
【００８６】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行った信号に、ガードインターバルを付加することで、ＯＦＤＭ方式におけるシンボルからなるベースバンドのディジタル信号を生成する。周知のように、ガードインターバルは、伝送するシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナ１１１を介して、移動局装置５に送信する。
【００８７】
＜基地局装置の受信処理部１０１の構成＞
以下、基地局装置３の受信処理部１０１の詳細について説明する。図６は、本発明の実施形態に係る基地局装置３の受信処理部１０１の構成を示す概略ブロック図である。この図に示すように、受信処理部１０１は、受信ＲＦ部３０１、Ａ／Ｄ（Analog/Digital；アナログディジタル変換）部３０３、要素周波数帯域分離部３０５、複数の上りリンク要素周波数帯域毎受信処理部３０７、を含んで構成される。また、この図に示すように、上りリンク要素周波数帯域毎受信処理部３０７は、シンボルタイミング検出部３０９、ＧＩ除去部３１１、ＦＦＴ部３１３、サブキャリアデマッピング部３１５、伝搬路推定部３１７、上りリンク共有チャネル用の伝搬路等化部３１９、上りリンク制御チャネル用の伝搬路等化部３２１、ＩＤＦＴ部３２３、データ復調部３２５、ターボ復号部３２７、および、上りリンク制御チャネル検出部３２９、を備える。なお、各上りリンク要素周波数帯域毎受信処理部３０７は、同様の構成および機能を有するので、その一つを代表して説明する。
【００８８】
受信ＲＦ部３０１は、受信アンテナ１０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号を要素周波数帯域分離部３０５に出力する。要素周波数帯域分離部３０５は、上りリンクシステム帯域幅の上りリンク要素周波数帯域毎に受信信号を分離し、各上りリンク要素周波数帯域毎受信処理部３０７に出力する。
【００８９】
上りリンク要素周波数帯域毎受信処理部３０７は、上りリンク要素周波数帯域内の上りリンク共有チャネル、上りリンク制御チャネルの復調、復号を行ない、情報データ、制御データを検出する。シンボルタイミング検出部３０９は、要素周波数帯域分離部３０５より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、要素周波数帯域分離部３０５より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１５に出力する。なお、ＦＦＴ部３１３のポイント数は、後述する移動局装置５のＩＦＦＴ部２０９のポイント数と等しい。
【００９０】
サブキャリアデマッピング部３１５は、制御部１０５から入力された制御信号に基づき、ＦＦＴ部３１３が復調した信号を、上りリンクパイロットチャネルの信号と、上りリンク共有チャネルの信号と、上りリンク制御チャネルの信号とに分離する。サブキャリアデマッピング部３１５は、分離した上りリンクパイロットチャネルの信号を伝搬路推定部３１７に出力し、分離した上りリンク共有チャネルの信号を、上りリンク共有チャネル用の伝搬路等化部３１９に出力し、また、分離した上りリンク制御チャネルの信号を上りリンク制御チャネル用の伝搬路等化部３２１に出力する。また、サブキャリアデマッピング部３１５は、上りリンク制御チャネルが配置される無線リソースの候補が複数ある場合、制御部１０５から入力された制御信号に基づき、全ての候補の上りリンク制御チャネルの信号を上りリンク制御チャネル用の伝搬路等化部３２１に出力する。
【００９１】
伝搬路推定部３１７は、サブキャリアデマッピング部３１５が分離した上りリンクパイロットチャネルの上りリンク参照信号と既知の信号を用いて伝搬路の変動を推定する。伝搬路推定部３１７は、推定した伝搬路推定値を、上りリンク共有チャネル用の伝搬路等化部３１９と、上りリンク制御チャネル用の伝搬路等化部３２１に出力する。上りリンク共有チャネル用の伝搬路等化部３１９は、サブキャリアデマッピング部３１５が分離した上りリンク共有チャネルの信号の振幅および位相を、伝搬路推定部３１７から入力された伝搬路推定値に基づいて等化する。ここで、等化とは、信号が無線通信中に受けた伝搬路の変動を元に戻す処理のことを表す。上りリンク共有チャネル用の伝搬路等化部３１９は、調整した信号をＩＤＦＴ部３２３に出力する。
【００９２】
ＩＤＦＴ部３２３は、上りリンク共有チャネル用の伝搬路等化部３１９から入力された信号を離散逆フーリエ変換し、データ復調部３２５に出力する。データ復調部３２５は、ＩＤＦＴ部３２３が変換した上りリンク共有チャネルの信号の復調を行ない、復調した上りリンク共有チャネルの信号をターボ復号部３２７に出力する。この復調は、移動局装置５のデータ変調部２２１で用いられる変調方式に対応した復調であり、変調方式は制御部１０５より入力される。ターボ復号部３２７は、データ復調部３２５から入力され、復調された上りリンク共有チャネルの信号から、情報データを復号する。符号化率は、制御部１０５より入力される。
【００９３】
上りリンク制御チャネル用の伝搬路等化部３２１は、サブキャリアデマッピング部３１５で分離された上りリンク制御チャネルの信号の振幅および位相を、伝搬路推定部３１７から入力された伝搬路推定値に基づいて等化する。上りリンク制御チャネル用の伝播路等化部は、等化した信号を上りリンク制御チャネル検出部３２９に出力する。上りリンク制御チャネル検出部３２９は、上りリンク制御チャネル用の伝搬路等化部３２１から入力された信号を送信された制御データの種別に応じて、復調、復号し、制御データを検出する。ここで、基地局装置３は、移動局装置５が送信する制御データの種別を予め把握している。上りリンク制御チャネル検出部３２９は、検出した制御データを制御部１０５に出力する。
【００９４】
制御部１０５は、基地局装置３が、移動局装置５に下りリンク制御チャネルを用いて送信した制御データ、下りリンク共有チャネルを用いて送信した無線リソース制御情報に基づいて、サブキャリアデマッピング部３１５、データ復調部３２５、ターボ復号部３２７、伝搬路推定部３１７、および上りリンク制御チャネル検出部３２９の制御を行なう。また、制御部１０５は、基地局装置３が移動局装置５に送信した制御データ、無線リソース制御情報に基づき、各移動局装置５が送信した上りリンク共有チャネル、上りリンク制御チャネルがどの無線リソースに配置されているか把握している。制御部１０５は、ある移動局装置５に対してチャネル品質指標ＣＱＩを送信するための複数の上りリンク制御チャネルの無線リソースが同一の上りリンクサブフレームに割り当てられている場合、優先度の高い下りリンク要素周波数帯域に対応するチャネル品質指標ＣＱＩを送信するための上りリンク制御チャネルに対応する信号を伝搬路等化部に出力するようにサブキャリアデマッピング部３１５に制御信号を出力する。
【００９５】
＜移動局装置の全体構成＞
以下、図７、図８、図９を用いて、本実施形態に係る移動局装置５の構成について説明する。図７は、本発明の第１の実施形態に係る移動局装置５の構成を示す概略ブロック図である。この図に示すように、移動局装置５は、受信処理部４０１、制御部４０３、送信処理部４０５を含んで構成される。また、制御部４０３は、上りリンク制御データ生成部４０７、上りリンク制御チャネル選択部４０９を備える。
【００９６】
受信処理部４０１は、基地局装置３から信号を受信し、制御部４０３の指示に従い、受信信号を復調、復号する。受信処理部４０１は、自装置宛ての下りリンク制御チャネルの信号を検出した場合は、下りリンク制御チャネルの信号を復号して取得した制御データを制御部４０３に出力する。また、受信処理部４０１は、下りリンク制御チャネルに含まれる制御データを制御部４０３に出力した後の制御部４０３の指示に基づき、自装置宛ての下りリンク共有チャネルを復号して得た情報データを、制御部４０３を介して上位層に出力する。また、受信処理部４０１は、下りリンク共有チャネルを復号して得た無線リソース制御情報、下りリンク要素周波数帯域毎に設定される移動局装置の無線リソースの選択に関わる優先度の情報を制御部４０３に出力する。また、受信処理部４０１は、各下りリンク要素周波数帯域の下りリンクパイロットチャネルの下りリンク参照信号を用いてチャネル品質を測定し、測定結果を制御部４０３に出力する。受信処理部４０１の詳細については後述する。
【００９７】
制御部４０３は、上りリンク制御データ生成部４０７、上りリンク制御チャネル選択部４０９を備える。制御部４０３は、下りリンク共有チャネルを用いて送信され、受信処理部４０１より入力されたデータを確認し、データの中で情報データを上位層に出力し、データの中で無線リソース制御情報、下りリンク要素周波数帯域毎に設定される移動局装置の無線リソースの選択に関わる優先度の情報に基づいて、受信処理部４０１、送信処理部４０５を制御する。また、同様に、制御部４０３は、制御データに基づいて、受信処理部４０１、送信処理部４０５を制御する。
【００９８】
制御部４０３の上りリンク制御チャネル選択部４０９は、基地局装置３より受信処理部４０１を介して入力された下りリンク要素周波数帯域毎に設定される移動局装置の無線リソースの選択に関わる優先度の情報に基づいて、同一上りリンクサブフレームで、基地局装置３より予め割り当てられた下りリンク要素周波数帯域毎のチャネル品質指標ＣＱＩを送信するための上りリンク制御チャネルの無線リソースが複数発生した場合に、特定の上りリンク制御チャネルの無線リソースを選択する。具体的には、上りリンク制御チャネル選択部４０９は、優先度の最も高い下りリンク要素周波数帯域のチャネル品質指標ＣＱＩを送信するために割り当てられた上りリンク制御チャネルの無線リソースを選択する。なお、上りリンク制御チャネル選択部４０９は、同一上りリンクサブフレームで、基地局装置３より予め割り当てられた下りリンク要素周波数帯域毎のチャネル品質指標ＣＱＩを送信するための上りリンク制御チャネルの無線リソースが１つだけ発生した場合は、その無線リソースを選択する。
【００９９】
制御部４０３の上りリンク制御データ生成部４０７は、受信処理部４０１より入力された各下りリンク要素周波数帯域のチャネル品質からチャネル品質指標ＣＱＩを生成する。制御部４０３は、上りリンク制御チャネル選択部４０９の制御の結果に基づき、送信処理部４０５が各下りリンク要素周波数帯域のチャネル品質指標ＣＱＩを何れの上りリンク制御チャネルの無線リソースを用いて送信するかを制御する。そして、制御部４０３は、上りリンク制御データ生成部４０７が生成した各下りリンク要素周波数帯域に対応するチャネル品質指標ＣＱＩからなる制御データをそれぞれ、後述する送信処理部４０５に出力する。
【０１００】
なお、制御部４０３は、上りリンク制御チャネル選択部４０９が選択した上りリンク制御チャネルの無線リソースを用いて送信するように予め設定された下りリンク要素周波数帯域のチャネル品質指標ＣＱＩであり、上りリンク制御データ生成部４０７が生成したチャネル品質指標ＣＱＩからなる制御データを送信処理部４０５に出力する。つまり、制御部４０３は、同一上りリンクサブフレームで、基地局装置３より予め割り当てられた下りリンク要素周波数帯域毎のチャネル品質指標ＣＱＩを送信するための上りリンク制御チャネルの無線リソースが複数発生した場合に、優先度の最も高い下りリンク要素周波数帯域のチャネル品質指標ＣＱＩからなる制御データを送信処理部４０５に出力する。
【０１０１】
送信処理部４０５は、制御部４０３の指示に従い、情報データ、制御データを符号化し、変調した信号を上りリンクの無線リソースに配置して、基地局装置３に送信アンテナ４１３を介して送信する。送信処理部４０５は、同一上りリンクサブフレームで、基地局装置３より予め割り当てられた下りリンク要素周波数帯域毎のチャネル品質指標ＣＱＩを送信するための上りリンク制御チャネルの無線リソースが複数発生した場合に、制御部４０３より入力された優先度の最も高い下りリンク要素周波数帯域のチャネル品質指標ＣＱＩからなる制御データを含む信号を送信する。送信処理部４０５の詳細については後述する。
【０１０２】
＜移動局装置の受信処理部４０１＞
以下、移動局装置５の受信処理部４０１の詳細について説明する。図８は、本発明の実施形態に係る移動局装置５の受信処理部４０１の構成を示す概略ブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、チャネル品質測定部５１５、下りリンク共有チャネル用の伝搬路補償部５１７、下りリンク共有チャネル復号部５１９、下りリンク制御チャネル用の伝搬路補償部５２１、および、下りリンク制御チャネル復号部５２３、を含んで構成される。また、この図に示すように、下りリンク共有チャネル復号部５１９は、データ復調部５２５、および、ターボ復号部５２７、を備える。また、この図に示すように、下りリンク制御チャネル復号部５２３は、ＱＰＳＫ復調部５２９、および、ビタビデコーダ部５３１、を備える。受信ＲＦ部５０１は、受信アンテナ４１１で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。
【０１０３】
受信ＲＦ部５０１は、直交復調したアナログ信号を、Ａ／Ｄ部５０３に出力する。Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１０４】
多重分離部５１１は、制御部４０３から入力された制御信号に基づき、ＦＦＴ部５０９が復調した信号を、下りリンク制御チャネルの信号と、下りリンク共有チャネルの信号とに分離する。多重分離部５１１は、分離した下りリンク共有チャネルの信号を、下りリンク共有チャネル用の伝搬路補償部５１７に出力し、また、分離した下りリンク制御チャネルの信号を、下りリンク制御チャネル用の伝搬路補償部５２１に出力する。また、多重分離部５１１は、下りリンクパイロットチャネルが配置される下りリンクリソースエレメントを分離し、下りリンクパイロットチャネルの下りリンク参照信号を、伝搬路推定部５１３と、チャネル品質測定部５１５に出力する。
【０１０５】
伝搬路推定部５１３は、多重分離部５１１が分離した下りリンクパイロットチャネルの下りリンク参照信号と既知の信号とを用いて伝搬路の変動を推定し、伝搬路の変動を補償するように、振幅および位相を調整するための伝播路補償値を、下りリンク共有チャネル用の伝搬路補償部５１７と、下りリンク制御チャネル用の伝搬路補償部５２１に出力する。チャネル品質測定部５１５は、下りリンク要素周波数帯域単位で下りリンクパイロットチャネルの下りリンク参照信号を用いてチャネル品質を測定し、各下りリンク要素周波数帯域のチャネル品質の測定結果を制御部４０３に出力する。下りリンク共有チャネル用の伝搬路補償部５１７は、多重分離部５１１が分離した下りリンク共有チャネルの信号の振幅および位相を、伝搬路推定部５１３から入力された伝搬路補償値に従って調整する。下りリンク共有チャネル用の伝搬路補償部５１７は、伝搬路を調整した信号を下りリンク共有チャネル復号部５１９のデータ復調部５２５に出力する。
【０１０６】
下りリンク共有チャネル復号部５１９は、制御部４０３からの指示に基づき、下りリンク共有チャネルの復調、復号を行ない、情報データを検出する。データ復調部５２５は、伝搬路補償部から入力された下りリンク共有チャネルの信号の復調を行ない、復調した下りリンク共有チャネルの信号をターボ復号部５２７に出力する。この復調は、基地局装置３のデータ変調部２２１で用いられる変調方式に対応した復調である。ターボ復号部５２７は、データ復調部５２５から入力され、復調された下りリンク共有チャネルの信号から情報データを復号し、制御部４０３を介して上位層に出力する。なお、下りリンク共有チャネルを用いて送信された無線リソース制御情報、下りリンク共有チャネルを復号して得た無線リソース制御情報、下りリンク要素周波数帯域毎に設定される移動局装置の無線リソースの選択に関わる優先度の情報も制御部４０３に出力される。
【０１０７】
下りリンク制御チャネル用の伝搬路補償部５２１は、多重分離部５１１が分離した下りリンク制御チャネルの信号の振幅および位相を、伝搬路推定部５１３から入力された伝搬路補償値に従って調整する。下りリンク制御チャネル用の伝搬路補償部５２１は、調整した信号を下りリンク制御チャネル復号部５２３のＱＰＳＫ復調部５２９に出力する。
【０１０８】
下りリンク制御チャネル復号部５２３は、以下のように、伝搬路補償部５２１から入力された信号を復調、復号し、制御データを検出する。ＱＰＳＫ復調部５２９は、下りリンク制御チャネルの信号に対してＱＰＳＫ復調を行ない、ビタビデコーダ部５３１に出力する。ビタビデコーダ部５３１は、ＱＰＳＫ復調部５２９が復調した信号を復号し、復号した制御データを制御部４０３に出力する。ここで、この信号はビット単位で表現され、ビタビデコーダ部５３１は、入力ビットに対してビタビデコーディング処理を行なうビットの数を調整するためにレートデマッチングも行なう。
【０１０９】
なお、制御部４０３は、ビタビデコーダ部５３１より入力された制御データが誤りなく、自装置宛ての制御データかを判定し、誤りなく、自装置宛ての制御データと判定した場合、制御データに基づいて多重分離部５１１、データ復調部５２５、ターボ復号部５２７、および送信処理部４０５、を制御する。
【０１１０】
＜移動局装置の送信処理部４０５＞
図９は、本発明の実施形態に係る移動局装置５の送信処理部４０５の構成を示す概略ブロック図である。この図に示すように、送信処理部４０５は、複数の上りリンク要素周波数帯域毎送信処理部６０１、要素周波数帯域合成部６０３、Ｄ／Ａ部６０５、送信ＲＦ部６０７、および、送信アンテナ４１３を含んで構成される。また、この図に示すように、上りリンク要素周波数帯域毎送信処理部６０１は、ターボ符号部６１１、データ変調部６１３、ＤＦＴ部６１５、上りリンクパイロットチャネル処理部６１７、上りリンク制御チャネル処理部６１９、サブキャリアマッピング部６２１、ＩＦＦＴ部６２３、および、ＧＩ挿入部６２５、を備える。移動局装置５は、対応する数の上りリンク要素周波数帯域分の上りリンク要素周波数帯域毎送信処理部６０１を有する。なお、各上りリンク要素周波数帯域毎送信処理部６０１は、同様の構成および機能を有するので、その一つを代表して説明する。
【０１１１】
上りリンク要素周波数帯域毎送信処理部６０１は、情報データ、制御データに対して符号化、変調を行ない、上りリンク要素周波数帯域内の上りリンク共有チャネル、上りリンク制御チャネルを用いて送信する信号を生成する。例えば、上りリンク要素周波数帯域毎送信処理部６０１は、チャネル品質指標ＣＱＩからなる制御データを符号化、変調を行ない、上りリンク制御チャネルを用いて送信する信号を生成する。ターボ符号部６１１は、入力された情報データを、制御部４０３から指示された符号化率で、データの誤り耐性を高めるためのターボ符号化を行ない、データ変調部６１３に出力する。データ変調部６１３は、ターボ符号部６１１が符号化した符号データを、制御部４０３から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。
【０１１２】
ＤＦＴ部６１５は、データ変調部６１３が出力した信号を離散フーリエ変換し、サブキャリアマッピング部６２１に出力する。上りリンク制御チャネル処理部６１９は、制御部４０３から入力された制御データを伝送するためのベースバンド信号処理を行なう。上りリンク制御チャネル処理部６１９に入力される制御データは、下りリンクのチャネル品質指標ＣＱＩ、受信確認応答ＡＣＫ／ＮＡＣＫ、スケジューリング要求ＳＲ、または下りリンクのチャネル品質指標ＣＱＩと受信確認応答ＡＣＫ／ＮＡＣＫの両方の何れかである。上りリンク制御チャネル処理部６１９は、処理を行なう制御データの種類に応じて異なる形式の信号を生成し、サブキャリアマッピング部６２１に出力する。処理を行なう制御データの種類が、制御部４０３から上りリンク制御チャネル処理部６１９に入力される。上りリンクパイロットチャネル処理部６１７は、基地局装置３において既知の信号である上りリンク参照信号を生成し、サブキャリアマッピング部６２１に出力する。
【０１１３】
サブキャリアマッピング部６２１は、上りリンクパイロットチャネル処理部６１７から入力された信号と、ＤＦＴ部６１５から入力された信号と、上りリンク制御チャネル処理部６１９各々から入力された信号とを、制御部４０３からの指示に従ってサブキャリアに配置し、ＩＦＦＴ部６２３に出力する。なお、サブキャリアマッピング部６２１は、送信信号のシングルキャリア属性を維持するため、上りリンク共有チャネルの信号と上りリンク制御チャネルの信号を同一の上りリンクサブフレームに配置して、出力しない。同様に、サブキャリアマッピング部６２１は、複数の上りリンク共有チャネルの信号を同一の上りリンクサブフレームに配置して出力しない。同様に、サブキャリアマッピング部６２１は、少なくとも移動局装置５の送信電力に制限がある場合、複数の上りリンク制御チャネルの信号を同一の上りリンクサブフレームに配置して出力しない。実際には、制御部４０３が、サブキャリアマッピング部６２１が上記処理を行なうように制御する。
【０１１４】
なお、移動局装置５は、送信電力に制限がある場合、異なる上りリンク要素周波数帯域において、同一の上りリンクサブフレームに複数の上りリンク共有チャネル、複数の上りリンク制御チャネルを配置して送信することはない。移動局装置５は、送信電力に制限が余りない場合、異なる上りリンク要素周波数帯域において、同一の上りリンクサブフレームに複数の上りリンク共有チャネル、複数の上りリンク制御チャネル、上りリンク共有チャネルと上りリンク制御チャネルを配置して送信するようにしてもよい。
【０１１５】
なお、サブキャリアマッピング部６２１は、上りリンク共有チャネル内における上りリンクパイロットチャネルの信号の配置、上りリンク制御チャネル内における上りリンクパイロットチャネルの信号の配置を、図３に示したように時間多重で配置して、出力する。ＩＦＦＴ部６２３は、サブキャリアマッピング部６２１が出力した信号を高速逆フーリエ変換し、ＧＩ挿入部６２５に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、上りリンク共有チャネルを用いて送信する信号に対してＤＦＴ−Ｓｐｒｅａｄ−ＯＦＤＭ方式の変調を行なう。ＧＩ挿入部６２５は、ＩＦＦＴ部６２３から入力された信号に、ガードインターバルを付加し、要素周波数帯域合成部６０３に出力する。
【０１１６】
要素周波数帯域合成部６０３は、各上りリンク要素周波数帯域毎送信処理部６０１より入力された上りリンク要素周波数帯域毎の信号を合成し、Ｄ／Ａ部６０５に出力する。Ｄ／Ａ部６０５は、要素周波数帯域合成部６０３から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１３を介して、基地局装置３に送信する。
【０１１７】
以上の構成により、送信処理部４０５は、上りリンク制御データ生成部４０７が生成したチャネル品質指標ＣＱＩを、上りリンク制御チャネル選択部４０９が選択した上りリンク制御チャネルの無線リソースに配置して基地局装置に送信する。
【０１１８】
＜下りリンク要素周波数帯域毎に設定される移動局装置の無線リソースの選択に関わる優先度＞
次に、下りリンク要素周波数帯域毎に設定される移動局装置５のチャネル品質指標ＣＱＩを送信するための上りリンク制御チャネルの無線リソースの選択に関わる優先度の詳細について説明する。
【０１１９】
図１０は、本発明の第１の実施形態において、下りリンク要素周波数帯域毎のチャネル品質指標ＣＱＩの優先度の一例を示す図である。なお、ここでは、下りリンク要素周波数帯域が３個（第１の下りリンク要素周波数帯域、第２の下りリンク要素周波数帯域、第３の下りリンク要素周波数帯域）の場合について説明する。基地局装置３の無線リソース制御部１０３は、各下りリンク要素周波数帯域に対して優先度として順位付けを行なう。図１０において、無線リソース制御部１０３は、第１の下りリンク要素周波数帯域を１番、第２の下りリンク要素周波数帯域を２番、第３の下りリンク要素周波数帯域を３番というように順位付けを行ない、基地局装置３はこのような下りリンク要素周波数帯域毎のチャネル品質指標ＣＱＩの優先度を示す情報を移動局装置５に送信する。
【０１２０】
移動局装置５は、受信した下りリンク要素周波数帯域毎のチャネル品質指標ＣＱＩの優先度を示す情報に基づき、同一上りリンクサブフレームで、基地局装置３より予め割り当てられた下りリンク要素周波数帯域毎のチャネル品質指標ＣＱＩを送信するための上りリンク制御チャネルの無線リソースが複数発生した場合に、特定の上りリンク制御チャネルの無線リソースを選択する。
【０１２１】
例えば、移動局装置５の上りリンク制御チャネル選択部４０９は、同一上りリンクサブフレームで、第１の下りリンク要素周波数帯域に対応するチャネル品質指標ＣＱＩを送信するための上りリンク制御チャネルの無線リソースと、第２の下りリンク要素周波数帯域に対応するチャネル品質指標ＣＱＩを送信するための上りリンク制御チャネルの無線リソースと、が発生した場合に、優先度として順位が高い、第１の下りリンク要素周波数帯域に対応するチャネル品質指標ＣＱＩを送信するための上りリンク制御チャネルの無線リソースを選択する。制御部４０３は、上りリンク制御チャネル選択部４０９が選択した第１の下りリンク要素周波数帯域のチャネル品質指標ＣＱＩを送信処理部４０５に出力する。
【０１２２】
例えば、上りリンク制御チャネル選択部４０９は、同一上りリンクサブフレームで、第２の下りリンク要素周波数帯域に対応するチャネル品質指標ＣＱＩを送信するための上りリンク制御チャネルの無線リソースと、第３の下りリンク要素周波数帯域に対応するチャネル品質指標ＣＱＩを送信するための上りリンク制御チャネルの無線リソースと、が発生した場合に、優先度として順位が高い、第２の下りリンク要素周波数帯域に対応するチャネル品質指標ＣＱＩを送信するための上りリンク制御チャネルの無線リソースを選択する。制御部４０３は、上りリンク制御チャネル選択部４０９が選択した第２の下りリンク要素周波数帯域のチャネル品質指標ＣＱＩを送信処理部４０５に出力する。
【０１２３】
例えば、上りリンク制御チャネル選択部４０９は、同一上りリンクサブフレームで、第１の下りリンク要素周波数帯域に対応するチャネル品質指標ＣＱＩを送信するための上りリンク制御チャネルの無線リソースと、第２の下りリンク要素周波数帯域に対応するチャネル品質指標ＣＱＩを送信するための上りリンク制御チャネルの無線リソースと、第３の下りリンク要素周波数帯域に対応するチャネル品質指標ＣＱＩを送信するための上りリンク制御チャネルの無線リソースと、が発生した場合に、優先度として順位が最も高い、第１の下りリンク要素周波数帯域に対応するチャネル品質指標ＣＱＩを送信するための上りリンク制御チャネルの無線リソースを選択する。制御部４０３は、上りリンク制御チャネル選択部４０９が選択した第１の下りリンク要素周波数帯域のチャネル品質指標ＣＱＩを送信処理部４０５に出力する。
【０１２４】
＜チャネル品質指標ＣＱＩ送信用の上りリンク制御チャネルの構成＞
図１１Ａ、１１Ｂ、１１Ｃは、本発明の実施形態における、チャネル品質指標ＣＱＩを送信するための複数の上りリンク制御チャネルについての周波数領域の設定を示す図である。なお、ここでは、下りリンク要素周波数帯域が３個（第１の下りリンク要素周波数帯域、第２の下りリンク要素周波数帯域、第３の下りリンク要素周波数帯域）、上りリンク要素周波数帯域が３個（第１の上りリンク要素周波数帯域、第２の上りリンク要素周波数帯域、第３の上りリンク要素周波数帯域）の場合について説明する。
【０１２５】
例えば、図１１Ａに示すように、基地局装置３の無線リソース制御部１０３は、移動局装置５に対して各上りリンク要素周波数帯域に各下りリンク要素周波数帯域に対応するチャネル品質指標ＣＱＩを送信するための上りリンク制御チャネルの無線リソースを設定し、チャネル品質指標ＣＱＩを送信するための上りリンク制御チャネルの無線リソースに関する設定情報を移動局装置５に通知する。
【０１２６】
図１１Ａにおいて、ＣＱＩ１は無線リソース制御部１０３が第１の上りリンク要素周波数帯域に設定した、第１の下りリンク要素周波数帯域に対応するチャネル品質指標ＣＱＩを送信するための上りリンク制御チャネルを示し、ＣＱＩ２は無線リソース制御部１０３が第２の上りリンク要素周波数帯域に設定した、第２の下りリンク要素周波数帯域に対応するチャネル品質指標ＣＱＩを送信するための上りリンク制御チャネルを示し、ＣＱＩ３は無線リソース制御部１０３が第３の上りリンク要素周波数帯域に設定した、第３の下りリンク要素周波数帯域に対応するチャネル品質指標ＣＱＩを送信するための上りリンク制御チャネルを示す。例えば、各チャネル品質指標ＣＱＩを送信するための上りリンク制御チャネルは、図３に示すように、各上りリンク要素周波数帯域の周波数領域の端の上りリンクリソースブロックペアを用いて構成される。
【０１２７】
また、例えば、図１１Ｂに示すように、基地局装置３の無線リソース制御部１０３は、移動局装置５に対して１個の上りリンク要素周波数帯域に各下りリンク要素周波数帯域に対応するチャネル品質指標ＣＱＩを送信するための上りリンク制御チャネルの無線リソースを設定し、チャネル品質指標ＣＱＩを送信するための上りリンク制御チャネルの無線リソースに関する設定情報を移動局装置５に通知する。
【０１２８】
図１１Ｂにおいて、ＣＱＩ１は無線リソース制御部１０３が第１の上りリンク要素周波数帯域に設定した、第１の下りリンク要素周波数帯域に対応するチャネル品質指標ＣＱＩを送信するための上りリンク制御チャネルを示し、ＣＱＩ２は無線リソース制御部１０３が第１の上りリンク要素周波数帯域に設定した、第２の下りリンク要素周波数帯域に対応するチャネル品質指標ＣＱＩを送信するための上りリンク制御チャネルを示し、ＣＱＩ３は無線リソース制御部１０３が第１の上りリンク要素周波数帯域に設定した、第３の下りリンク要素周波数帯域に対応するチャネル品質指標ＣＱＩを送信するための上りリンク制御チャネルを示す。例えば、各チャネル品質指標ＣＱＩを送信するための上りリンク制御チャネルは、図３に示すように、最も周波数が低い上りリンク要素周波数帯域の周波数領域の端から１個以上の上りリンクリソースブロックペアを用いて構成される。
【０１２９】
なお、図１１Ａおよび図１１Ｂに記載の上りリンク制御チャネルの無線リソースの設定を組み合わせた構成も可能である。例えば、図１１Ｃに示すように、基地局装置３の無線リソース制御部１０３は、移動局装置５に対して複数の上りリンク要素周波数帯域に各下りリンク要素周波数帯域に対応するチャネル品質指標ＣＱＩを送信するための上りリンク制御チャネルの無線リソースを設定し、一部の上りリンク要素周波数帯域に複数の下りリンク要素周波数帯域に対応するチャネル品質指標ＣＱＩを送信するための上りリンク制御チャネルの無線リソースを設定し、チャネル品質指標ＣＱＩを送信するための上りリンク制御チャネルの無線リソースに関する設定情報を移動局装置５に通知する。
【０１３０】
図１１Ｃにおいて、ＣＱＩ１は無線リソース制御部１０３が第１の上りリンク要素周波数帯域に設定した、第１の下りリンク要素周波数帯域に対応するチャネル品質指標ＣＱＩを送信するための上りリンク制御チャネルを示し、ＣＱＩ２は無線リソース制御部１０３が第１の上りリンク要素周波数帯域に設定した、第２の下りリンク要素周波数帯域に対応するチャネル品質指標ＣＱＩを送信するための上りリンク制御チャネルを示し、ＣＱＩ３は無線リソース制御部１０３が第３の上りリンク要素周波数帯域に設定した、第３の下りリンク要素周波数帯域に対応するチャネル品質指標ＣＱＩを送信するための上りリンク制御チャネルを示す。
【０１３１】
図１２は、本発明の実施形態における、チャネル品質指標ＣＱＩを送信するための複数の上りリンク制御チャネルについての時間領域の設定を示す図である。図１２では、上りリンクサブフレーム単位の設定を示す。基地局装置３の無線リソース制御部１０３は、移動局装置５に対して、ＣＱＩ１の無線リソースを第１の上りリンクサブフレームから４個の上りリンクサブフレーム毎に設定し、ＣＱＩ２の無線リソースを第３の上りリンクサブフレームから５個の上りリンクサブフレーム毎に設定し、ＣＱＩ３の無線リソースを第２の上りリンクサブフレームから５個の上りリンクサブフレーム毎に設定する。無線リソース制御部１０３は、送信処理部１０７を通して移動局装置５にチャネル品質指標ＣＱＩを送信するための上りリンク制御チャネル（CQI1、CQI2、CQI3）の無線リソースの割り当て周期、割り当て開始上りリンクサブフレームを通知する。
【０１３２】
その結果、第１３の上りリンクサブフレームにおいてＣＱＩ１とＣＱＩ２の無線リソースが同時に発生し、第１７の上りリンクサブフレームにおいてＣＱＩ１とＣＱＩ３の無線リソースが同時に発生する。図１０を用いて、第１３の上りリンクサブフレーム、および第１７の上りリンクサブフレームにおける移動局装置５の上りリンク制御チャネル選択部４０９の処理について説明する。第１３の上りリンクサブフレームにおいて、上りリンク制御チャネル選択部４０９は、優先度が高い第１の下りリンク要素周波数帯域に対応するチャネル品質指標ＣＱＩを送信するための上りリンク制御チャネルであるＣＱＩ１を選択する。第１７の上りリンクサブフレームにおいて、上りリンク制御チャネル選択部４０９は、優先度が高い第１の下りリンク要素周波数帯域に対応するチャネル品質指標ＣＱＩを送信するための上りリンク制御チャネルであるＣＱＩ１を選択する。
【０１３３】
＜チャネル品質指標CQIを送信するための上りリンク制御チャネルの選択のフロー＞
図１３は、本発明の第１の実施形態に係る移動局装置５のチャネル品質指標ＣＱＩを送信するための上りリンク制御チャネルの選択に関する上りリンクサブフレーム単位の処理の一例を示すフローチャートである。上りリンク制御チャネル選択部４０９は、チャネル品質指標ＣＱＩを送信するための上りリンク制御チャネルが割り当てられた上りリンクサブフレームか否かを判定する（ステップＳ１０１）。上りリンク制御チャネル選択部４０９がチャネル品質指標ＣＱＩを送信するための上りリンク制御チャネルが割り当てられた上りリンクサブフレームではないと判定した場合、次の上りリンクサブフレームで再度ステップＳ１０１に進む。一方、上りリンク制御チャネル選択部４０９がチャネル品質指標ＣＱＩを送信するための上りリンク制御チャネルが割り当てられた上りリンクサブフレームであると判定した場合、上りリンク制御チャネル選択部４０９は、チャネル品質指標ＣＱＩを送信するための複数の上りリンク制御チャネルが割り当てられた上りリンクサブフレームか否かを判定する（ステップＳ１０２）。
【０１３４】
上りリンク制御チャネル選択部４０９がチャネル品質指標ＣＱＩを送信するための複数の上りリンク制御チャネルが割り当てられた上りリンクサブフレームではないと判定した場合、上りリンク制御チャネル選択部４０９は、割り当てられた上りリンク制御チャネルを選択する（ステップＳ１０３）。上りリンク制御チャネル選択部４０９は、チャネル品質指標ＣＱＩを送信するための複数の上りリンク制御チャネルが割り当てられた上りリンクサブフレームであると判定した場合、優先度が最も高い下りリンク要素周波数帯域に対応するチャネル品質指標ＣＱＩの送信用に割り当てられた上りリンク制御チャネルを選択する（ステップＳ１０４）。ステップＳ１０３、およびステップＳ１０４の後、移動局装置５は、チャネル品質指標ＣＱＩを送信するための上りリンク制御チャネルの選択に関する処理を終了し、選択した上りリンク制御チャネルを用いてチャネル品質指標ＣＱＩを基地局装置３に送信する。
【０１３５】
本発明は、複数の下りリンク要素周波数帯域に対応したチャネル品質指標ＣＱＩを効率的に制御し、移動局装置５がチャネル品質指標ＣＱＩを含む信号を適切に送信することができる。同一上りリンクサブフレームで、下りリンク要素周波数帯域毎のチャネル品質指標ＣＱＩを送信するための上りリンク制御チャネルの無線リソースが複数発生した場合に、移動局装置５は特定の無線リソースを選択することにより、送信信号のシングルキャリア属性を維持することができ、電力に制限のある移動局装置は要求される品質を満足するように信号を送信することができる。
【０１３６】
また、基地局装置３は、移動局装置５毎に各下りリンク要素周波数帯域に対するスケジューリングの優先度を考慮して、下りリンク要素周波数帯域毎のチャネル品質指標ＣＱＩを送信するための上りリンク制御チャネルの無線リソースの選択に関わる優先度を設定することにより、移動局装置５は優先度の高い下りリンク要素周波数帯域のチャネル品質指標ＣＱＩを基地局装置３に優先して送信し、基地局装置３はスケジューリングの優先度の高い下りリンク要素周波数帯域に対してチャネル品質指標ＣＱＩを用いて適切なスケジューリングを行なうことができる。
【０１３７】
なお、基地局装置３は、移動局装置５に設定した下りリンク要素周波数帯域毎のチャネル品質指標ＣＱＩを送信するための上りリンク制御チャネルの無線リソースの選択に関わる優先度、チャネル品質指標ＣＱＩを送信するための上りリンク制御チャネルの無線リソースを把握しているので、同一の上りリンクサブフレームでチャネル品質指標ＣＱＩを送信するための上りリンク制御チャネルの無線リソースが複数発生した場合に移動局装置５が送信に用いる上りリンク制御チャネルの無線リソース、チャネル品質指標ＣＱＩが対応する下りリンク要素周波数帯域を認識している。
【０１３８】
なお、本発明は、上記実施形態で説明に用いた下りリンク要素周波数帯域の数、上りリンク要素周波数帯域の数から構成される無線通信システム１に限定されない。異なる数の下りリンク要素周波数帯域、上りリンク要素周波数帯域から構成される無線通信システム１にも適用できる。また、本発明は、下りリンク要素周波数帯域の数が上りリンク要素周波数帯域の数より多く構成される無線通信システム１、上りリンク要素周波数帯域の数が下りリンク要素周波数帯域の数より多く構成される無線通信システム１にも適用できる。
【０１３９】
なお、本発明は、上記実施形態で説明に用いたチャネル品質指標ＣＱＩを送信するための上りリンク制御チャネルの無線リソースの割り当て周期から構成される無線通信システム１に限定されない。異なる割り当て周期を用いた無線通信システム１にも適用できる。なお、本発明は、電力に制限のある移動局装置にのみ適用してもよい。電力に制限の余りない移動局装置、つまり信号に要求される品質を満足しつつ、送信可能な送信電力が非常に余っている移動局装置は、同一上りリンクサブフレームで、複数の上りリンク制御チャネルの無線リソースを用いてチャネル品質指標ＣＱＩを送信し、電力に制限のある移動局装置は本発明を適用し、特定の上りリンク制御チャネルの無線リソースを選択して、チャネル品質指標ＣＱＩを送信するようにしてもよい。
【０１４０】
（第２の実施形態）
本発明の第２の実施形態では、移動局装置５は、受信確認応答ＡＣＫ／ＮＡＣＫを送信するための上りリンク制御チャネルの無線リソースが割り当てられた上りリンク要素周波数帯域の中で、チャネル品質指標ＣＱＩを送信するための上りリンク制御チャネルの無線リソースを選択し、選択した無線リソースが割り当てられた、下りリンク要素周波数帯域のチャネル品質指標ＣＱＩを送信する。
【０１４１】
図１４は、本発明の第２の実施形態において、ある上りリンクサブフレームで、チャネル品質指標ＣＱＩを送信するための複数の上りリンク制御チャネルと、受信確認応答ＡＣＫ／ＮＡＣＫを送信するための上りリンク制御チャネルが同時に発生した場合を示す図である。なお、ここでは、下りリンク要素周波数帯域が３個（第１の下りリンク要素周波数帯域、第２の下りリンク要素周波数帯域、第３の下りリンク要素周波数帯域）、上りリンク要素周波数帯域が３個（第１の上りリンク要素周波数帯域、第２の上りリンク要素周波数帯域、第３の上りリンク要素周波数帯域）の場合について説明する。
【０１４２】
移動局装置５は、第１の上りリンク要素周波数帯域で、第１の下りリンク要素周波数帯域のチャネル品質指標ＣＱＩを送信するための上りリンク制御チャネルＣＱＩ１の無線リソースを、基地局装置３の無線リソース制御部１０３より予め割り当てられている。同様に、移動局装置５は、第２の上りリンク要素周波数帯域で、第２の下りリンク要素周波数帯域のチャネル品質指標ＣＱＩを送信するための上りリンク制御チャネルＣＱＩ２の無線リソースを、予め割り当てられている。また、移動局装置５は、第２の上りリンク要素周波数帯域の無線リソースであり、受信確認応答ＡＣＫ／ＮＡＣＫを送信するための上りリンク制御チャネルを示す下りリンク制御チャネルを受信している。
【０１４３】
移動局装置５の上りリンク制御チャネル選択部４０９は、上りリンク制御データ生成部４０７が受信確認応答ＡＣＫ／ＮＡＣＫを示す制御データを生成した場合に、受信確認応答ＡＣＫ／ＮＡＣＫの送信用に割り当てられた上りリンク制御チャネルが配置される上りリンク要素周波数帯域の中で、チャネル品質指標ＣＱＩを送信するための上りリンク制御チャネルの無線リソースを選択する。移動局装置５の送信処理部４０５は、上りリンク制御チャネル選択部４０９が選択した上りリンク制御チャネルの無線リソースが割り当てられた、下りリンク要素周波数帯域のチャネル品質指標ＣＱＩと受信確認応答ＡＣＫ／ＮＡＣＫを含む信号を生成し、基地局装置３に送信する。
【０１４４】
移動局装置５の上りリンク制御チャネル処理部６１９は、チャネル品質指標ＣＱＩと受信確認応答ＡＣＫ／ＮＡＣＫを含む信号を、チャネル品質指標ＣＱＩだけを含む信号とは異なる形式で生成する。例えば、上りリンク制御チャネル処理部６１９は、チャネル品質指標ＣＱＩだけを含む信号に対して、上りリンク参照信号に変調を行なって、チャネル品質指標ＣＱＩと受信確認応答ＡＣＫ／ＮＡＣＫを含む信号を生成する。基地局装置３の上りリンク制御チャネル検出部３２９は、受信された上りリンク制御チャネルの上りリンク参照信号から受信確認応答ＡＣＫ／ＮＡＣＫを検出し、上りリンク参照信号以外の信号からチャネル品質指標ＣＱＩを検出する。
【０１４５】
＜チャネル品質指標ＣＱＩを送信するための上りリンク制御チャネルの選択のフロー＞
図１５は、本発明の第２の実施形態に係る移動局装置５のチャネル品質指標ＣＱＩを送信するための上りリンク制御チャネルの選択に関する上りリンクサブフレーム単位の処理の一例を示すフローチャートである。上りリンク制御チャネル選択部４０９は、チャネル品質指標ＣＱＩを送信するための上りリンク制御チャネルが割り当てられた上りリンクサブフレームか否かを判定する（ステップＴ１０１）。上りリンク制御チャネル選択部４０９がチャネル品質指標ＣＱＩを送信するための上りリンク制御チャネルが割り当てられた上りリンクサブフレームではないと判定した場合、次の上りリンクサブフレームで再度ステップＴ１０１に進む。一方、上りリンク制御チャネル選択部４０９は、チャネル品質指標ＣＱＩを送信するための上りリンク制御チャネルが割り当てられた上りリンクサブフレームであると判定した場合、チャネル品質指標ＣＱＩを送信するための複数の上りリンク制御チャネルが割り当てられた上りリンクサブフレームか否かを判定する（ステップＴ１０２）。
【０１４６】
上りリンク制御チャネル選択部４０９は、チャネル品質指標ＣＱＩを送信するための複数の上りリンク制御チャネルが割り当てられた上りリンクサブフレームではないと判定した場合、割り当てられた上りリンク制御チャネルを選択する（ステップＴ１０３）。上りリンク制御チャネル選択部４０９は、チャネル品質指標ＣＱＩを送信するための複数の上りリンク制御チャネルが割り当てられた上りリンクサブフレームであると判定した場合、チャネル品質指標ＣＱＩを送信するための上りリンク制御チャネルが割り当てられた上りリンク要素周波数帯域の中で受信確認応答ＡＣＫ／ＮＡＣＫを送信するための上りリンク制御チャネルが割り当てられているか否かを判定する（ステップＴ１０４）。
【０１４７】
上りリンク制御チャネル選択部４０９は、チャネル品質指標ＣＱＩを送信するための上りリンク制御チャネルが割り当てられた上りリンク要素周波数帯域の中で受信確認応答ＡＣＫ／ＮＡＣＫを送信するための上りリンク制御チャネルが割り当てられていないと判定した場合、上りリンク制御チャネル選択部４０９は、優先度が最も高い下りリンク要素周波数帯域に対応するチャネル品質指標ＣＱＩの送信用に割り当てられた上りリンク制御チャネルを選択する（ステップＴ１０５）。上りリンク制御チャネル選択部４０９は、チャネル品質指標ＣＱＩを送信するための上りリンク制御チャネルが割り当てられた上りリンク要素周波数帯域の中で、受信確認応答ＡＣＫ／ＮＡＣＫを送信するための上りリンク制御チャネルが割り当てられていると判定した場合、受信確認応答ＡＣＫ／ＮＡＣＫを送信するための上りリンク制御チャネルが割り当てられた上りリンク要素周波数帯域に割り当てられたチャネル品質指標ＣＱＩ送信用の上りリンク制御チャネルを選択する（ステップＴ１０６）。
【０１４８】
ステップＴ１０３、ステップＴ１０５、およびステップＴ１０６の後、移動局装置５は、チャネル品質指標ＣＱＩを送信するための上りリンク制御チャネルの選択に関する処理を終了し、選択した上りリンク制御チャネルを用いてチャネル品質指標ＣＱＩを基地局装置３に送信する。
【０１４９】
本発明は、複数の下りリンク要素周波数帯域に対応したチャネル品質指標ＣＱＩを効率的に制御し、移動局装置５がチャネル品質指標ＣＱＩを含む信号を適切に送信することができる。同一上りリンクサブフレームで、受信確認応答ＡＣＫ／ＮＡＣＫを送信するための上りリンク制御チャネルの無線リソースが発生し、下りリンク要素周波数帯域毎のチャネル品質指標ＣＱＩを送信するための上りリンク制御チャネルの無線リソースが複数発生した場合に、その複数の無線リソースの中から、移動局装置５は受信確認応答ＡＣＫ／ＮＡＣＫを送信するための上りリンク制御チャネルが割り当てられた上りリンク要素周波数帯域に割り当てられたチャネル品質指標ＣＱＩを送信するための上りリンク制御チャネルの無線リソースを選択する。これにより、送信信号のシングルキャリア属性を維持することができ、電力に制限のある移動局装置は要求される品質を満足するように信号を送信することができる。
【０１５０】
また、移動局装置５は、チャネル品質指標ＣＱＩよりも優先度の高い受信確認応答ＡＣＫ／ＮＡＣＫを送信することができ、基地局装置３において下りリンク共有チャネルの適した再送制御を実現することができる。
【０１５１】
なお、受信確認応答ＡＣＫ／ＮＡＣＫを送信するための上りリンク制御チャネルが割り当てられた上りリンク要素周波数帯域に対して第１の実施形態を用いてもよい。例えば、図１４に示すチャネル品質指標ＣＱＩを送信するための複数の上りリンク制御チャネルと、受信確認応答ＡＣＫ／ＮＡＣＫを送信するための上りリンク制御チャネルの構成に対して、更に第２の上りリンク要素周波数帯域に第３の下りリンク要素周波数帯域のチャネル品質指標ＣＱＩを送信するための上りリンク制御チャネルの無線リソースが構成されるとする。つまり、受信確認応答ＡＣＫ／ＮＡＣＫを送信するための上りリンク制御チャネルが割り当てられた上りリンク要素周波数帯域にチャネル品質指標ＣＱＩを送信するための複数の上りリンク制御チャネルが割り当てられている場合に、受信確認応答ＡＣＫ／ＮＡＣＫを送信するための上りリンク制御チャネルが割り当てられた上りリンク要素周波数帯域でのチャネル品質指標ＣＱＩを送信するための上りリンク制御チャネルの選択に第１の実施形態を適用してもよい。
【０１５２】
図１６Ａ、１６Ｂは、本発明の第２の実施形態に係る移動局装置５のチャネル品質指標ＣＱＩを送信するための上りリンク制御チャネルの選択に関する上りリンクサブフレーム単位の処理の一例を示すフローチャートである。図１６Ａ、１６Ｂに示すフローにおいて、ステップＴ１０３でＹＥＳの場合の次のステップとして、受信確認応答ＡＣＫ／ＮＡＣＫを送信するための上りリンク制御チャネルが割り当てられた上りリンク要素周波数帯域でチャネル品質指標ＣＱＩを送信するための複数の上りリンク制御チャネルが割り当てられているか否かを判断する（ステップＴ１１０）。複数の上りリンク制御チャネルが割り当てられていないと判断した場合、受信確認応答ＡＣＫ／ＮＡＣＫを送信するための上りリンク制御チャネルが割り当てられた上りリンク要素周波数帯域に割り当てられたチャネル品質指標ＣＱＩを送信するための上りリンク制御チャネルを選択する（ステップＴ１１１）。一方、複数の上りリンク制御チャネルが割り当てられていると判断した場合、優先度が最も高い下りリンク要素周波数帯域に対応するチャネル品質指標ＣＱＩの送信用に割り当てられた上りリンク制御チャネルを選択する（ステップＴ１１２）。
【０１５３】
ステップＴ１１１、およびステップＴ１１２の後、移動局装置５は、チャネル品質指標ＣＱＩを送信するための上りリンク制御チャネルの選択に関する処理を終了し、選択した上りリンク制御チャネルを用いてチャネル品質指標ＣＱＩを基地局装置３に送信する。
【０１５４】
なお、第２の実施形態は、第１の実施形態を併用して用いなくてもよい。例えば、上りリンク制御チャネル選択部４０９は、同一上りリンクサブフレームで、下りリンク要素周波数帯域毎のチャネル品質指標ＣＱＩを送信するための上りリンク制御チャネルの無線リソースが複数発生した場合に、最も周波数が低い下りリンク要素周波数帯域に対応するチャネル品質指標ＣＱＩを送信するための上りリンク制御チャネルを選択するようにしてもよい。つまり、図１５において、ステップＴ１０６の処理を、最も周波数が低い下りリンク要素周波数帯域に対応するチャネル品質指標ＣＱＩの送信用に割り当てられた上りリンク制御チャネルを選択するようにしてもよい。第２の実施形態は、第１の実施形態を併用して用いなくても、移動局装置５は、チャネル品質指標ＣＱＩよりも優先度の高い受信確認応答ＡＣＫ／ＮＡＣＫを送信することができる。
【０１５５】
なお、基地局装置３は、受信確認応答ＡＣＫ／ＮＡＣＫを送信するための上りリンク制御チャネルを示す下りリンク制御チャネルを自らが選択しているので、受信確認応答ＡＣＫ／ＮＡＣＫを送信するための上りリンク制御チャネルが配置される上りリンク要素周波数帯域を把握しており、移動局装置５によりチャネル品質指標ＣＱＩと受信確認応答ＡＣＫ／ＮＡＣＫの送信に用いられるチャネル品質指標ＣＱＩの送信用に割り当てられた上りリンク制御チャネルを認識している。
【０１５６】
（第３の実施形態）
本発明の第３の実施形態では、第２の実施形態と比較して、さらに、受信確認応答ＡＣＫ／ＮＡＣＫを送信する上りリンク制御チャネルの無線リソースが割り当てられた上りリンク要素周波数帯域の中に、複数のチャネル品質指標ＣＱＩを送信する制御チャネルが設定されている場合に、移動局装置５は、受信確認応答ＡＣＫ／ＮＡＣＫの送信に用いられる上りリンク要素周波数帯域の上りリンク制御チャネルを示す情報が配置された下りリンク要素周波数帯域のチャネル品質指標ＣＱＩを送信するために割り当てられた上りリンク制御チャネルの無線リソースを選択する。そして、移動局装置５は、選択した無線リソースが割り当てられた、下りリンク要素周波数帯域のチャネル品質指標ＣＱＩを送信する。受信確認応答ＡＣＫ／ＮＡＣＫの送信に用いられる上りリンク要素周波数帯域の上りリンク制御チャネルを示す情報は下りリンク制御チャネルである。
【０１５７】
図１７は、本発明の第３の実施形態において、ある上りリンクサブフレームでチャネル品質指標ＣＱＩを送信するための複数の上りリンクチャネルと、受信確認応答ＡＣＫ／ＮＡＣＫを送信するための上りリンクチャネルが同時に発生した場合を示す図である。なお、ここでは、下りリンク要素周波数帯域が２個（第１の下りリンク要素周波数帯域、第２の下りリンク要素周波数帯域）、上りリンク要素周波数帯域が１個（第１の上りリンク要素周波数帯域）の場合について説明する。
【０１５８】
移動局装置５は、第１の上りリンク要素周波数帯域で第１の下りリンク要素周波数帯域のチャネル品質指標ＣＱＩを送信するための上りリンク制御チャネルＣＱＩ１の無線リソースを、基地局装置３の無線リソース制御部１０３より予め割り当てられている。同様に、移動局装置５は、第１の上りリンク要素周波数帯域で第２の下りリンク要素周波数帯域のチャネル品質指標ＣＱＩを送信するための上りリンク制御チャネルＣＱＩ２の無線リソースを予め割り当てられている。また、移動局装置５は、第１の上りリンク要素周波数帯域の無線リソースであり、受信確認応答ＡＣＫ／ＮＡＣＫを送信するための上りリンク制御チャネルを示す下りリンク制御チャネルを第１の下りリンク要素周波数帯域で受信している。
【０１５９】
下りリンク制御チャネルと受信確認応答ＡＣＫ／ＮＡＣＫの上りリンク制御チャネルとの関係について説明する。上りリンク要素周波数帯域には、下りリンク要素周波数帯域毎の下りリンク共有チャネルに対する受信確認応答ＡＣＫ／ＮＡＣＫを送信するための上りリンク制御チャネルの無線リソースが予め構成されている。また、受信確認応答ＡＣＫ／ＮＡＣＫを送信するための各上りリンク制御チャネルの無線リソースは、下りリンク制御チャネルを構成する下りリンク制御チャネルエレメントと予め対応付けられている。１個の下りリンク制御チャネルエレメントは、複数の下りリンクリソースエレメントから構成され、下りリンク要素周波数帯域内に分散した下りリンクリソースエレメントから構成される。
【０１６０】
下りリンク制御チャネルエレメントも受信確認応答ＡＣＫ／ＮＡＣＫを送信するための上りリンク制御チャネルの無線リソースも番号付けが予め行なわれ、各下りリンク制御チャネルエレメントは受信確認応答ＡＣＫ／ＮＡＣＫを送信するための各上りリンク制御チャネルの無線リソースと予め対応付けられている。下りリンク制御チャネルは、１個以上の下りリンク制御チャネルエレメントから構成され、移動局装置５は受信した下りリンク制御チャネルを構成する１個以上の下りリンク制御チャネルエレメントの中で最も番号が小さい下りリンク制御チャネルエレメントと対応した受信確認応答ＡＣＫ／ＮＡＣＫを送信するための上りリンク制御チャネルの無線リソースを割り当てられたと認識する。
【０１６１】
第２の実施形態の図１４に示す下りリンク要素周波数帯域と上りリンク要素周波数帯域においては、第１の下りリンク要素周波数帯域の下りリンク共有チャネルに対する受信確認応答ＡＣＫ／ＮＡＣＫを送信するための上りリンク制御チャネルの無線リソースは第１の上りリンク要素周波数帯域に構成され、第２の下りリンク要素周波数帯域の下りリンク共有チャネルに対する受信確認応答ＡＣＫ／ＮＡＣＫを送信するための上りリンク制御チャネルの無線リソースは第２の上りリンク要素周波数帯域に構成され、第３の下りリンク要素周波数帯域の下りリンク共有チャネルに対する受信確認応答ＡＣＫ／ＮＡＣＫを送信するための上りリンク制御チャネルの無線リソースは第３の上りリンク要素周波数帯域に構成されている。
【０１６２】
その一方、第３の実施形態の図１７に示す下りリンク要素周波数帯域と上りリンク要素周波数帯域においては、第１の下りリンク要素周波数帯域の下りリンク共有チャネルに対する受信確認応答ＡＣＫ／ＮＡＣＫを送信するための上りリンク制御チャネルの無線リソースは第１の上りリンク要素周波数帯域に構成され、第２の下りリンク要素周波数帯域の下りリンク共有チャネルに対する受信確認応答ＡＣＫ／ＮＡＣＫを送信するための上りリンク制御チャネルの無線リソースも第１の上りリンク要素周波数帯域に構成される。各下りリンク要素周波数帯域の下りリンク共有チャネルに対する受信確認応答ＡＣＫ／ＮＡＣＫを送信するための上りリンク制御チャネルの無線リソースは別々に構成されてもよいし、共用して構成されてもよい。
【０１６３】
移動局装置５の上りリンク制御チャネル選択部４０９は、移動局装置５の受信処理部４０１が検出した下りリンク制御チャネルが配置された下りリンク要素周波数帯域のチャネル品質指標ＣＱＩを送信するために割り当てられた上りリンク制御チャネルの無線リソースを選択する。移動局装置５の送信処理部４０５は、上りリンク制御チャネル選択部４０９が選択した上りリンク制御チャネルの無線リソースが割り当てられた、下りリンク要素周波数帯域のチャネル品質指標ＣＱＩと受信確認応答ＡＣＫ／ＮＡＣＫを含む信号を生成し、基地局装置３に送信する。
【０１６４】
移動局装置５の上りリンク制御チャネル処理部６１９は、チャネル品質指標ＣＱＩと受信確認応答ＡＣＫ／ＮＡＣＫを含む信号を、チャネル品質指標ＣＱＩだけを含む信号とは異なる形式で生成する。図１７において、移動局装置５は第１の下りリンク要素周波数帯域で下りリンク制御チャネルを受信、検出しているので、第１の下りリンク要素周波数帯域のチャネル品質指標ＣＱＩを送信するために割り当てられた上りリンク制御チャネルＣＱＩ１の無線リソースを選択し、第１の下りリンク要素周波数帯域のチャネル品質指標ＣＱＩと受信確認応答ＡＣＫ／ＮＡＣＫを含む信号を基地局装置３に送信する。
【０１６５】
＜チャネル品質指標ＣＱＩを送信するための上りリンク制御チャネルの選択のフロー＞
図１８は、本発明の第３の実施形態に係る移動局装置５のチャネル品質指標ＣＱＩを送信するための上りリンク制御チャネルの選択に関する上りリンクサブフレーム単位の処理の一例を示すフローチャートである。上りリンク制御チャネル選択部４０９は、チャネル品質指標ＣＱＩを送信するための上りリンク制御チャネルが割り当てられた上りリンクサブフレームか否かを判定する（ステップＵ１０１）。上りリンク制御チャネル選択部４０９がチャネル品質指標ＣＱＩを送信するための上りリンク制御チャネルが割り当てられた上りリンクサブフレームではないと判定した場合、次の上りリンクサブフレームで再度ステップＵ１０１に進む。一方、上りリンク制御チャネル選択部４０９は、チャネル品質指標ＣＱＩを送信するための上りリンク制御チャネルが割り当てられた上りリンクサブフレームであると判定した場合、チャネル品質指標ＣＱＩを送信するための複数の上りリンク制御チャネルが割り当てられた上りリンクサブフレームか否かを判定する（ステップＵ１０２）。
【０１６６】
上りリンク制御チャネル選択部４０９は、チャネル品質指標ＣＱＩを送信するための複数の上りリンク制御チャネルが割り当てられた上りリンクサブフレームではないと判定した場合、割り当てられた上りリンク制御チャネルを選択する（ステップＵ１０３）。上りリンク制御チャネル選択部４０９は、チャネル品質指標ＣＱＩを送信するための複数の上りリンク制御チャネルが割り当てられた上りリンクサブフレームであると判定した場合、チャネル品質指標ＣＱＩを送信するための上りリンク制御チャネルが割り当てられた上りリンク要素周波数帯域の中で受信確認応答ＡＣＫ／ＮＡＣＫを送信するための上りリンク制御チャネルが割り当てられているか否かを判定する（ステップＵ１０４）。
【０１６７】
上りリンク制御チャネル選択部４０９は、チャネル品質指標ＣＱＩを送信するための上りリンク制御チャネルが割り当てられた上りリンク要素周波数帯域の中で受信確認応答ＡＣＫ／ＮＡＣＫを送信するための上りリンク制御チャネルが割り当てられていないと判定した場合、優先度が最も高い下りリンク要素周波数帯域に対応するチャネル品質指標ＣＱＩを送信するために割り当てられた上りリンク制御チャネルを選択する（ステップＵ１０５）。上りリンク制御チャネル選択部４０９は、チャネル品質指標ＣＱＩを送信するための上りリンク制御チャネルが割り当てられた上りリンク要素周波数帯域の中で受信確認応答ＡＣＫ／ＮＡＣＫを送信するための上りリンク制御チャネルが割り当てられていると判定した場合、下りリンク制御チャネルが配置された下りリンク要素周波数帯域のチャネル品質指標ＣＱＩを送信するために割り当てられた上りリンク制御チャネルを選択する（ステップＵ１０６）。
【０１６８】
ステップＵ１０３、ステップＵ１０５、およびステップＵ１０６の後、移動局装置５は、チャネル品質指標ＣＱＩを送信するための上りリンク制御チャネルの選択に関する処理を終了し、選択した上りリンク制御チャネルを用いてチャネル品質指標ＣＱＩを基地局装置３に送信する。
【０１６９】
本発明は、複数の下りリンク要素周波数帯域に対応したチャネル品質指標ＣＱＩを効率的に制御し、移動局装置５がチャネル品質指標ＣＱＩを含む信号を適切に送信することができる。同一上りリンクサブフレームで、受信確認応答ＡＣＫ／ＮＡＣＫを送信するための上りリンク制御チャネルの無線リソースが発生し、下りリンク要素周波数帯域毎のチャネル品質指標ＣＱＩを送信するための上りリンク制御チャネルの無線リソースが複数発生した場合に、移動局装置５は受信確認応答ＡＣＫ／ＮＡＣＫを送信するための上りリンク制御チャネルが割り当てられた上りリンク要素周波数帯域に割り当てられたチャネル品質指標ＣＱＩを送信するための上りリンク制御チャネルの無線リソースを選択することにより、送信信号のシングルキャリア属性を維持することができ、電力に制限のある移動局装置は要求される品質を満足するように信号を送信することができる。
【０１７０】
また、移動局装置５は、受信確認応答ＡＣＫ／ＮＡＣＫの送信に用いられる上りリンク要素周波数帯域の上りリンク制御チャネルを示す情報が配置された下りリンク要素周波数帯域のチャネル品質指標ＣＱＩを送信するために割り当てられた上りリンク制御チャネルを選択して、選択した上りリンク制御チャネルに対応する下りリンク要素周波数帯域のチャネル品質指標ＣＱＩを送信する。これにより、受信確認応答ＡＣＫ／ＮＡＣＫを送信する上りリンク制御チャネルの無線リソースが割り当てられた上りリンク要素周波数帯域の中に、複数のチャネル品質指標ＣＱＩを送信する上りリンク制御チャネルが設定されている場合に、基地局装置３は移動局装置５にチャネル品質指標ＣＱＩを送信して欲しい下りリンク要素周波数帯域を瞬時的に選択することができる。
【０１７１】
（第４の実施形態）
本発明の第４の実施形態では、第１の実施形態と比較して、移動局装置５は、複数の下りリンク要素周波数帯域のチャネル品質指標ＣＱＩを送信するための複数の上りリンク制御チャネルの無線リソースが割り当てられた上りリンクサブフレームで特定の上りリンク制御チャネルの無線リソースを選択してチャネル品質指標ＣＱＩを送信する場合、チャネル品質指標ＣＱＩが示す内容を変更する。つまり、移動局装置５は、同一上りリンクサブフレームで、下りリンク要素周波数帯域毎のチャネル品質指標ＣＱＩを送信するために基地局装置３より予め割り当てられた上りリンク制御チャネルの無線リソースが、複数発生した場合と複数発生していない場合とで、チャネル品質指標ＣＱＩが示す内容を変更する。詳細には、移動局装置５は、チャネル品質指標ＣＱＩが対応する下りリンクの周波数帯域幅を変更する。
【０１７２】
図１９は、本発明の第４の実施形態に係る移動局装置５の構成を示す概略ブロック図である。図７に記載の第１の実施形態に係る移動局装置５の構成と比較して、制御部７０１にチャネル品質指標変更部７０３が構成される点が異なる。チャネル品質指標変更部７０３は、同一上りリンクサブフレームで、基地局装置３より下りリンク要素周波数帯域毎のチャネル品質指標ＣＱＩの送信用に予め割り当てられた上りリンク制御チャネルの無線リソースが、複数発生した場合と複数発生していない場合とで、チャネル品質指標ＣＱＩが示す内容を変更する。チャネル品質指標変更部７０３には、各下りリンク要素周波数帯域のチャネル品質が受信処理部４０１より入力されている。チャネル品質指標変更部７０３は、チャネル品質指標ＣＱＩが対応する下りリンクの周波数帯域幅を変更する。
【０１７３】
図２０Ａ、２０Ｂは、チャネル品質指標ＣＱＩが対応する下りリンクの周波数帯域幅を示す図である。ここでは、下りリンク要素周波数帯域が２個の場合について説明する。
【０１７４】
図２０Ａは、本発明の第４の実施形態に係るチャネル品質指標ＣＱＩが対応する下りリンクの周波数帯域幅を示す図である（複数のCQIが同一サブフレームで発生しない場合）。図２０Ａは、同一上りリンクサブフレームで、基地局装置３より下りリンク要素周波数帯域毎のチャネル品質指標ＣＱＩを送信するために予め割り当てられた上りリンク制御チャネルの無線リソースが複数発生していない場合のチャネル品質指標ＣＱＩが対応する下りリンクの周波数帯域幅を示しており、チャネル品質指標ＣＱＩが対応する下りリンクの周波数帯域幅は下りリンク要素周波数帯域幅である。制御部７０１は、チャネル品質指標変更部７０３によって設定された下りリンクの周波数帯域幅の周波数帯域内の平均的なチャネル品質に基づき、チャネル品質指標ＣＱＩを生成する。つまり、図２０Ａにおいて、移動局装置５は、特定の上りリンク制御チャネルの無線リソースを用いて第１の下りリンク要素周波数帯域に対するチャネル品質指標ＣＱＩ＿Ａ、または第２の下りリンク要素周波数帯域に対するチャネル品質指標ＣＱＩ＿Ｂを含む信号を基地局装置３に送信する。
【０１７５】
図２０Ｂは、本発明の第４の実施形態に係るチャネル品質指標ＣＱＩが対応する下りリンクの周波数帯域幅を示す図である（複数のCQIが同一サブフレームで発生する場合）。図２０Ｂは、同一上りリンクサブフレームで、基地局装置３より下りリンク要素周波数帯域毎のチャネル品質指標ＣＱＩを送信するために予め割り当てられた上りリンク制御チャネルの無線リソースが複数発生した場合のチャネル品質指標ＣＱＩが対応する下りリンクの周波数帯域幅を示しており、チャネル品質指標ＣＱＩが対応する下りリンクの周波数帯域幅は移動局装置５が基地局装置と通信に用いる全ての下りリンク要素周波数帯域幅である。制御部７０１は、チャネル品質指標変更部７０３によって設定された下りリンクの周波数帯域幅の周波数帯域内の平均的なチャネル品質に基づき、チャネル品質指標ＣＱＩを生成する。つまり、図２０Ｂにおいて、移動局装置５は、特定の上りリンク制御チャネルの無線リソースを用いて第１の下りリンク要素周波数帯域および第２の下りリンク要素周波数帯域から構成される周波数帯域に対するチャネル品質指標ＣＱＩ＿Ｃを含む信号を基地局装置３に送信する。また、図２０Ａと図２０Ｂの場合で、チャネル品質指標ＣＱＩを示すビット数は同じ値に維持される。
【０１７６】
図２１Ａ、２１Ｂは、チャネル品質指標ＣＱＩが対応する下りリンクの周波数帯域幅を示す図である。ここでは、下りリンク要素周波数帯域が２個の場合について説明する。
【０１７７】
図２１Ａは、本発明の第４の実施形態に係るチャネル品質指標ＣＱＩが対応する下りリンクの周波数帯域幅とサブバンド幅を示す図である（複数のCQIが同一サブフレームで発生しない場合）。図２１Ａは、同一上りリンクサブフレームで、基地局装置３より下りリンク要素周波数帯域毎のチャネル品質指標ＣＱＩを送信するために予め割り当てられた上りリンク制御チャネルの無線リソースが複数発生していない場合のチャネル品質指標ＣＱＩが対応する下りリンクの周波数帯域幅を示しており、チャネル品質指標ＣＱＩが対応する下りリンクの周波数帯域幅は下りリンク要素周波数帯域幅である。
【０１７８】
また、下りリンク要素周波数帯域はいくつかの周波数帯域（以降、サブバンドと称す。）に分割され、移動局装置５は上りリンク制御データ生成部４０７において下りリンク要素周波数帯域内でチャネル品質が最も良いサブバンドに対するチャネル品質指標ＣＱＩを生成し、基地局装置３に送信する。図２１Ａにおいて、各下りリンク要素周波数帯域は４個のサブバンド（第１のサブバンド、第２のサブバンド、第３のサブバンド、第４のサブバンド）に分割されている。つまり、図２１Ａにおいて、移動局装置５は、特定の上りリンク制御チャネルの無線リソースを用いて第１の下りリンク要素周波数帯域内のチャネル品質が最も良いサブバンドに対するチャネル品質指標ＣＱＩ＿Ａ、または第２の下りリンク要素周波数帯域内のチャネル品質が最も良いサブバンドに対するチャネル品質指標ＣＱＩ＿Ｂを含む信号を基地局装置３に送信する。
【０１７９】
図２１Ｂは、本発明の第４の実施形態に係るチャネル品質指標ＣＱＩが対応する下りリンクの周波数帯域幅とサブバンド幅を示す図である（複数のCQIが同一サブフレームで発生する場合）。図２１Ｂは、同一上りリンクサブフレームで、基地局装置３より下りリンク要素周波数帯域毎のチャネル品質指標ＣＱＩを送信するために予め割り当てられた上りリンク制御チャネルの無線リソースが複数発生した場合のチャネル品質指標ＣＱＩが対応する下りリンクの周波数帯域幅を示しており、チャネル品質指標ＣＱＩが対応する下りリンクの周波数帯域幅は移動局装置５が基地局装置と通信に用いる全ての下りリンク要素周波数帯域幅である。
【０１８０】
また、全ての下りリンク要素周波数帯域は、図２１Ａで示す個数と同じ数（４個）のサブバンドに分割され、移動局装置５は上りリンク制御データ生成部４０７において全ての下りリンク要素周波数帯域内でチャネル品質が最も良いサブバンドに対するチャネル品質指標ＣＱＩを生成し、基地局装置３に送信する。つまり、図２１Ｂにおいて、移動局装置５は、特定の上りリンク制御チャネルの無線リソースを用いて第１の下りリンク要素周波数帯域および第２の下りリンク要素周波数帯域から構成される周波数帯域内のチャネル品質が最も良いサブバンドに対するチャネル品質指標ＣＱＩ＿Ｃを含む信号を基地局装置３に送信する。
【０１８１】
図２１Ａと図２１Ｂの違いは、サブバンドの周波数帯域幅が異なることであり、チャネル品質指標変更部７０３は、サブバンドの周波数帯域幅を変更する。また、図２１Ａと図２１Ｂの場合で、チャネル品質指標ＣＱＩを示すビット数は同じ値に維持される。また、図２１Ａ、２１Ｂに示すチャネル品質指標ＣＱＩは図２０Ａ、２０Ｂに示すチャネル品質指標ＣＱＩと比較して、サブバンドを示す情報が構成される。
【０１８２】
本発明は、複数の下りリンク要素周波数帯域に対応したチャネル品質指標ＣＱＩを効率的に制御し、移動局装置５がチャネル品質指標ＣＱＩを含む信号を適切に送信することができる。同一上りリンクサブフレームで、下りリンク要素周波数帯域毎のチャネル品質指標ＣＱＩを送信するための上りリンク制御チャネルの無線リソースが、複数発生した場合と発生していない場合とで、移動局装置５はチャネル品質指標ＣＱＩのビット数を変更することなく、異なる意味のチャネル品質指標ＣＱＩを送信することができる。基地局装置３は、特定の下りリンク要素周波数帯域に対するチャネル品質指標ＣＱＩより、全ての下りリンク要素周波数帯域に対するチャネル品質指標ＣＱＩの方が欲しい場合に好適なチャネル品質指標ＣＱＩを移動局装置５より受信することができ、複数の下りリンク要素周波数帯域に対する下りリンク共有チャネルの無線リソース割り当て、変調方式・符号化率の決定を適切に行なうことができる。
【０１８３】
（第５の実施形態）
本発明の第５の実施形態では、第１の実施形態と比較して、移動局装置５は、同一上りリンクサブフレームで、下りリンク要素周波数帯域毎のチャネル品質指標ＣＱＩを送信するための上りリンク制御チャネルの無線リソースが複数発生した場合に、チャネル品質が最も良い下りリンク要素周波数帯域のチャネル品質指標ＣＱＩを送信するために割り当てられた上りリンク制御チャネルの無線リソースを選択し、チャネル品質が最も良い下りリンク要素周波数帯域のチャネル品質指標ＣＱＩを送信する。
【０１８４】
図２２は、本発明の第５の実施形態において、ある上りリンクサブフレームでチャネル品質指標ＣＱＩを送信するための複数の上りリンクチャネルが同時に発生した場合を示す図である。なお、ここでは、下りリンク要素周波数帯域が３個（第１の下りリンク要素周波数帯域、第２の下りリンク要素周波数帯域、第３の下りリンク要素周波数帯域）、上りリンク要素周波数帯域が３個（第１の上りリンク要素周波数帯域、第２の上りリンク要素周波数帯域、第３の上りリンク要素周波数帯域）の場合について説明する。移動局装置５は、第１の上りリンク要素周波数帯域で第１の下りリンク要素周波数帯域のチャネル品質指標ＣＱＩを送信するための上りリンク制御チャネルＣＱＩ１の無線リソース、第２の上りリンク要素周波数帯域で第２の下りリンク要素周波数帯域のチャネル品質指標ＣＱＩを送信するための上りリンク制御チャネルＣＱＩ２の無線リソースを基地局装置３の無線リソース制御部１０３より予め割り当てられている。
【０１８５】
移動局装置５の上りリンク制御チャネル選択部４０９は、移動局装置５の受信処理部４０１で測定された複数の下りリンク要素周波数帯域の中でチャネル品質が最も良い下りリンク要素周波数帯域のチャネル品質指標ＣＱＩを送信するために割り当てられた上りリンク制御チャネルの無線リソースを選択する。移動局装置５の送信処理部４０５は、チャネル品質が最も良い下りリンク要素周波数帯域のチャネル品質指標ＣＱＩを含む信号を生成し、基地局装置３に送信する。
【０１８６】
基地局装置３は、移動局装置５主導でチャネル品質指標ＣＱＩを送信するために割り当てられた上りリンク制御チャネルの無線リソースの選択が行なわれているので、移動局装置５で選択された上りリンク制御チャネルを検出する必要がある。無線リソース制御部１０３は、同一上りリンクサブフレームで、下りリンク要素周波数帯域毎のチャネル品質指標ＣＱＩを送信するための上りリンク制御チャネルの無線リソースが複数発生することを把握しているので、制御部１０５を通して、受信処理部１０１にチャネル品質指標ＣＱＩの送信に用いられた上りリンク制御チャネルを検出するように制御する。受信処理部１０１の上りリンク制御チャネル検出部３２９は、移動局装置５に予め割り当てられた各上りリンク制御チャネルの受信信号の受信電力を検出し、検出された受信電力が最も大きい上りリンク制御チャネルが移動局装置５にチャネル品質指標ＣＱＩの送信に用いられたと判断する。そして、上りリンク制御チャネル検出部３２９は、移動局装置５にチャネル品質指標ＣＱＩの送信に用いられたと判断した上りリンク制御チャネルの信号を復調、復号し、チャネル品質指標ＣＱＩからなる制御データを検出し、制御部１０５に出力する。
【０１８７】
＜チャネル品質指標ＣＱＩを送信するための上りリンク制御チャネルの選択のフロー＞
図２３は、本発明の第５の実施形態に係る移動局装置５のチャネル品質指標ＣＱＩを送信するための上りリンク制御チャネルの選択に関する上りリンクサブフレーム単位の処理の一例を示すフローチャートである。上りリンク制御チャネル選択部４０９は、チャネル品質指標ＣＱＩを送信するための上りリンク制御チャネルが割り当てられた上りリンクサブフレームか否かを判定する（ステップＶ１０１）。上りリンク制御チャネル選択部４０９がチャネル品質指標ＣＱＩを送信するための上りリンク制御チャネルが割り当てられた上りリンクサブフレームではないと判定した場合、次の上りリンクサブフレームで再度ステップＶ１０１に進む。一方、上りリンク制御チャネル選択部４０９は、チャネル品質指標ＣＱＩを送信するための上りリンク制御チャネルが割り当てられた上りリンクサブフレームであると判定した場合、チャネル品質指標ＣＱＩを送信するための複数の上りリンク制御チャネルが割り当てられた上りリンクサブフレームか否かを判定する（ステップＶ１０２）。
【０１８８】
上りリンク制御チャネル選択部４０９は、チャネル品質指標ＣＱＩを送信するための複数の上りリンク制御チャネルが割り当てられた上りリンクサブフレームではないと判定した場合、割り当てられた上りリンク制御チャネルを選択する（ステップＶ１０３）。上りリンク制御チャネル選択部４０９は、チャネル品質指標ＣＱＩを送信するための複数の上りリンク制御チャネルが割り当てられた上りリンクサブフレームであると判定した場合、チャネル品質が最も良い下りリンク要素周波数帯域のチャネル品質指標ＣＱＩの送信用に割り当てられた上りリンク制御チャネルを選択する（ステップＶ１０４）。ステップＶ１０３、およびステップＶ１０４の後、移動局装置５は、チャネル品質指標ＣＱＩを送信するための上りリンク制御チャネルの選択に関する処理を終了し、選択した上りリンク制御チャネルを用いてチャネル品質指標ＣＱＩを基地局装置３に送信する。
【０１８９】
本発明は、複数の下りリンク要素周波数帯域に対応したチャネル品質指標ＣＱＩを効率的に制御し、移動局装置５がチャネル品質指標ＣＱＩを含む信号を適切に送信することができる。同一上りリンクサブフレームで、下りリンク要素周波数帯域毎のチャネル品質指標ＣＱＩを送信するための上りリンク制御チャネルの無線リソースが複数発生した場合に、移動局装置５はチャネル品質が最も良い下りリンク要素周波数帯域のチャネル品質指標ＣＱＩを送信するために割り当てられた上りリンク制御チャネルを選択することにより、送信信号のシングルキャリア属性を維持することができ、電力に制限のある移動局装置は要求される品質を満足するように信号を送信することができる。また、基地局装置３は、チャネル品質が最も良い下りリンク要素周波数帯域のチャネル品質指標ＣＱＩを移動局装置５から受信することにより、最大の周波数スケジューリングのゲイン、最大の適応変調のゲインを得ることができる。
【０１９０】
以上説明した本発明の特徴的な動作は、コンピュータに制御プログラムを実行させることによっても実現することができる。すなわち、本発明の制御プログラムは、予め定められた周波数帯域幅を有する下りリンク要素周波数帯域を複数用いて基地局装置から送信された信号を受信する移動局装置の制御プログラムであって、上りリンク制御データ生成部において、前記各下りリンク要素周波数帯域に対応する、チャネル品質を示すチャネル品質指標を生成する処理と、上りリンク制御チャネル選択部において、前記基地局装置から前記下りリンク要素周波数帯域毎のチャネル品質指標を送信するために予め割り当てられた無線リソースが同一時間フレームで複数発生した場合、特定の無線リソースを選択する処理と、送信処理部において、前記上りリンク制御データ生成部が生成したチャネル品質指標を、前記上りリンク制御チャネル選択部が選択した無線リソースに配置して、前記基地局装置に対して送信する送信処理と、を含む一連の処理をコンピュータに読み取り可能および実行可能にコマンド化したことを特徴とする。
【０１９１】
このように、移動局装置は、基地局装置から下りリンク要素周波数帯域毎のチャネル品質指標を送信するために予め割り当てられた無線リソースが同一時間フレームで複数発生した場合、特定の無線リソースを選択するので、同一上りリンクサブフレームで、下りリンク要素周波数帯域毎のチャネル品質指標ＣＱＩを送信するための上りリンク制御チャネルの無線リソースが複数発生した場合に、特定の無線リソースを選択することにより、送信信号のシングルキャリア属性を維持することができ、電力に制限のある移動局装置は要求される品質を満足するように信号を送信することができる。
【０１９２】
また、本発明の制御プログラムは、予め定められた周波数帯域幅を有する下りリンク要素周波数帯域を複数用いて基地局装置から送信された信号を受信する移動局装置の制御プログラムであって、上りリンク制御データ生成部において、前記各下りリンク要素周波数帯域に対応するチャネル品質指標を生成する処理と、上りリンク制御チャネル選択部において、前記基地局装置から前記下りリンク要素周波数帯域毎のチャネル品質指標を送信するために予め割り当てられた無線リソースが同一時間フレームで複数発生した場合、前記下りリンク要素周波数帯域毎の優先度を示す情報に基づいて、前記優先度の高い下りリンク要素周波数帯域のチャネル品質指標を送信するために割り当てられた無線リソースを選択する処理と、送信処理部において、前記上りリンク制御データ生成部が生成したチャネル品質指標を、前記上りリンク制御チャネル選択部が選択した前記優先度の高い下りリンク要素周波数帯域のチャネル品質指標を送信するために割り当てられた無線リソースに配置して、前記基地局装置に対して送信する処理と、を含む一連の処理をコンピュータに読み取り可能および実行可能にコマンド化したことを特徴とする。
【０１９３】
このように、移動局装置は、基地局装置から下りリンク要素周波数帯域毎のチャネル品質指標を送信するために予め割り当てられた無線リソースが同一時間フレームで複数発生した場合、下りリンク要素周波数帯域毎の優先度を示す情報に基づいて、優先度の高い下りリンク要素周波数帯域のチャネル品質指標を送信するために割り当てられた無線リソースを選択するので、同一上りリンクサブフレームで、下りリンク要素周波数帯域毎のチャネル品質指標ＣＱＩを送信するための上りリンク制御チャネルの無線リソースが複数発生した場合に、特定の無線リソースを選択することにより、送信信号のシングルキャリア属性を維持することができ、電力に制限のある移動局装置は要求される品質を満足するように信号を送信することができる。また、優先度の高い下りリンク要素周波数帯域のチャネル品質指標ＣＱＩを基地局装置に優先して送信し、基地局装置はスケジューリングの優先度の高い下りリンク要素周波数帯域に対してチャネル品質指標ＣＱＩを用いて適切なスケジューリングを行なうことができる。
【０１９４】
また、本発明の制御プログラムは、予め定められた周波数帯域幅を有する上りリンク要素周波数帯域を１個以上用いて移動局装置から送信された信号を受信する基地局装置の制御プログラムであって、受信処理部において、前記移動局装置から送信された下りリンク要素周波数帯域のチャネル品質を示すチャネル品質指標を含む信号を受信する処理と、無線リソース制御部において、下りリンク要素周波数帯域のチャネル品質を示すチャネル品質指標を送信するための無線リソースの選択に関わる優先度を前記下りリンク要素周波数帯域毎に設定する処理と、基地局側送信処理部において、前記無線リソース制御部が設定した前記優先度を示す情報を前記移動局装置に送信する処理と、を含む一連の処理をコンピュータに読み取り可能および実行可能にコマンド化したことを特徴とする。
【０１９５】
このように、基地局装置が、優先度を示す情報を移動局装置に送信するので、移動局装置は優先度の高い下りリンク要素周波数帯域のチャネル品質指標ＣＱＩを基地局装置に優先して送信し、基地局装置はスケジューリングの優先度の高い下りリンク要素周波数帯域に対してチャネル品質指標ＣＱＩを用いて適切なスケジューリングを行なうことができる。
【０１９６】
本発明に関わる移動局装置および基地局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１９７】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における移動局装置および基地局装置の一部、または全部を典型的には集積回路であるＬＳＩとして実現してもよい。移動局装置および基地局装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１９８】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１９９】
１  無線通信システム
３  基地局装置
５  移動局装置
１０１  受信処理部
１０３  無線リソース制御部
１０７  送信処理部
４０５  送信処理部
４０７  上りリンク制御データ生成部
４０９  上りリンク制御チャネル選択部
７０３  チャネル品質指標変更部
【図１】
2011071923.tif 000003
【図２】
2011071923.tif 000004
【図３】
2011071923.tif 000005
【図４】
2011071923.tif 000006
【図５】
2011071923.tif 000007
【図６】
2011071923.tif 000008
【図７】
2011071923.tif 000009
【図８】
2011071923.tif 000010
【図９】
2011071923.tif 000011
【図１０】
2011071923.tif 000012
【図１１Ａ】
2011071923.tif 000013
【図１１Ｂ】
2011071923.tif 000014
【図１１Ｃ】
2011071923.tif 000015
【図１２】
2011071923.tif 000016
【図１３】
2011071923.tif 000017
【図１４】
2011071923.tif 000018
【図１５】
2011071923.tif 000019
【図１６Ａ】
2011071923.tif 000020
【図１６Ｂ】
2011071923.tif 000021
【図１７】
2011071923.tif 000022
【図１８】
2011071923.tif 000023
【図１９】
2011071923.tif 000024
【図２０Ａ】
2011071923.tif 000025
【図２０Ｂ】
2011071923.tif 000026
【図２１Ａ】
2011071923.tif 000027
【図２１Ｂ】
2011071923.tif 000028
【図２２】
2011071923.tif 000029
【図２３】
2011071923.tif 000030
【図２４】
2011071923.tif 000031
【図２５】
2011071923.tif 000032